(57)【要約】  本発明の眼鏡装置は、観察者の左眼及び右眼への透過光量を調整し、映像を立体的に知覚させるように前記映像の観察を補助する補助動作を行う光量調整部と、前記補助動作を前記光量調整部に実行させるための電力を蓄える蓄電部と、前記蓄電部の状態を通知するための通知信号を送信する送信部と、を備え、前記通知信号は、前記蓄電部が充電中であるか否かを表す充電情報と、前記蓄電部に蓄えられている電力量を表す残量情報と、を含むことを特徴とする。
2012124343.tif 000002
【特許請求の範囲】
【請求項１】
観察者の左眼及び右眼への透過光量を調整し、映像を立体的に知覚させるように前記映像の観察を補助する補助動作を行う光量調整部と、
前記補助動作を前記光量調整部に実行させるための電力を蓄える蓄電部と、
前記蓄電部の状態を通知するための通知信号を送信する送信部と、を備え、
前記通知信号は、前記蓄電部が充電中であるか否かを表す充電情報と、前記蓄電部に蓄えられている電力量を表す残量情報と、を含むことを特徴とする眼鏡装置。
【請求項２】
前記残量情報は、前記蓄電部が蓄電することができる最大蓄電量に対する前記電力量の割合を表す第１残量情報と、前記電力量に応じて前記光量調整部が前記補助動作をすることができる期間を表す第２残量情報と、のうち少なくとも一方を表すことを特徴とする請求項１に記載の眼鏡装置。
【請求項３】
映像を立体的に知覚させるように前記映像の観察を補助する補助動作を行う眼鏡装置の状態を通知するための通知信号を受信する受信部と、
該受信部が受信した前記通知信号に応じて、前記眼鏡装置の前記状態を表す状態画像を生成する画像生成部と、
前記状態画像を表示するための表示部と、を備え、
前記通知信号は、前記眼鏡装置が充電中であるか否かを表す充電情報と、前記眼鏡装置に蓄えられている電力量を表す残量情報と、を含み、
前記充電情報が、前記眼鏡装置が充電中でないことを表すならば、前記画像生成部は、前記眼鏡装置に蓄えられている電力量を表すための電力量画像を、前記状態画像として、生成することを特徴とする表示装置。
【請求項４】
前記画像生成部が、前記電力量画像を生成するならば、前記表示部は、前記眼鏡装置が蓄電することができる最大蓄電量に対する前記電力量の割合を表す第１電力量画像と、前記電力量に応じて前記眼鏡装置が前記補助動作を行うことができる期間を表す第２電力量画像と、のうち少なくとも一方を、前記電力量画像として、表示することを特徴とする請求項３に記載の表示装置。
【請求項５】
前記充電情報が、前記眼鏡装置が充電中であることを表すならば、前記画像生成部は、前記眼鏡装置が充電中であることを表す充電画像を、前記状態画像として、生成することを特徴とする請求項３に記載の表示装置。
【請求項６】
観察者に立体的に知覚される映像を表示する表示装置と、
前記映像を立体的に知覚させるように前記映像の観察を補助する補助動作を行う眼鏡装置と、を備え、
該眼鏡装置は、
前記観察者の左眼及び右眼への透過光量を調整し、前記補助動作を行う光量調整部と、
前記補助動作を前記光量調整部に実行させるための電力を蓄える蓄電部と、
前記蓄電部の状態を通知するための通知信号を送信する送信部と、を含み、
前記通知信号は、前記蓄電部が充電中であるか否かを表す充電情報と、前記蓄電部に蓄えられている電力量を表す残量情報と、を含み、
前記表示装置は、
前記通知信号を受信する受信部と、
該受信部が受信した前記通知信号に応じて、前記蓄電部の前記状態を表す状態画像を生成する画像生成部と、
前記状態画像を表示するための表示部と、を含み、
前記充電情報が、前記蓄電部が充電中でないことを表すならば、前記画像生成部は、前記蓄電部に蓄えられている電力量を表すための電力量画像を、前記状態画像として、生成することを特徴とする映像システム。
【請求項７】
立体的に知覚される映像を表示する表示装置と、前記映像の観察を補助する補助動作を行う眼鏡装置と、の間で、前記眼鏡装置の状態を通知するための通知信号を通信する段階と、
前記通知信号に応じて、前記眼鏡装置の前記状態を表す状態画像を前記表示装置に生成及び表示させる段階と、を備え、
前記通知信号は、前記眼鏡装置が充電中であるか否かを表す充電情報と、前記眼鏡装置に蓄えられている電力量を表す残量情報と、を含み、
前記充電情報が、前記眼鏡装置が充電中でないことを表すならば、前記表示装置は、前記眼鏡装置に蓄えられている電力量を表すための電力量画像を、前記状態画像として、生成及び表示することを特徴とする映像システムの制御方法。
【発明の詳細な説明】
【技術分野】
【０００１】
立体映像を観察者に適切に観察させるための映像技術に関する。
【背景技術】
【０００２】
立体映像を観察させるための映像システムは、広く普及している。映像システムは、典型的には、左眼で観察される左フレーム画像と右眼で観察される右フレーム画像とを交互に表示する表示装置と、左フレーム画像を左眼で観察させ、右フレーム画像を右眼で観察させるための補助動作を行う眼鏡装置と、を備える（特許文献１乃至３を参照）。補助動作の結果、観察者は、左眼のみで左フレーム画像を観察し、右眼のみで右フレーム画像を観察することとなる。左フレーム画像に描かれるオブジェクトと右フレーム画像に描かれるオブジェクトとの間には、例えば、位置的な差異が設けられるので、観察者は、表示装置が表示する映像を立体的に知覚することができる。【０００３】
眼鏡装置の補助動作は、典型的には、電力に依存する。このため、眼鏡装置内には、電池といった蓄電部が組み込まれる。蓄電部が十分に電力を蓄えている間、眼鏡装置は、適切な補助動作を行うことができる。一方、蓄電池内の電力が不十分ならば、眼鏡装置の補助動作は、表示装置による左フレーム画像と右フレーム画像との間の切替動作に適切に同期しない。【０００４】
上述の特許文献１は、眼鏡装置に蓄えられた電力量を観察者に通知するための技術を開示する。特許文献１の開示によれば、表示装置は、眼鏡装置に蓄えられた電力量を表す情報画像を表示する。観察者は、表示装置に表示された情報画像に応じて、映像の観察を続行したり、眼鏡装置の電池を交換したりする。【０００５】
眼鏡装置内の蓄電量の変動が少ないならば、表示装置が表示する情報画像は、観察者にとって有益である。しかしながら、蓄電量が短期間に大幅に変動するならば、表示装置が表示する情報画像は、観察者にとってあまり役に立たない。むしろ、情報画像は、表示装置が表示するコンテンツ（例えば、映画）の画像に重なることもあるので、映像の観察の妨げとなることもある。
【先行技術文献】
【特許文献】
【０００６】
【特許文献１】米国特許公開公報第２０１１／０２４８８５９号明細書
【特許文献２】米国特許公開公報第２０１１／０２４２２９０号明細書
【特許文献３】米国特許公開公報第２０１１／０２２８０５６号明細書
【発明の概要】
【０００７】
本発明は、眼鏡装置の状態を観察者に適切に通知することができる映像技術を提供することを目的とする。
【０００８】
本発明の一局面に係る眼鏡装置は、観察者の左眼及び右眼への透過光量を調整し、映像を立体的に知覚させるように前記映像の観察を補助する補助動作を行う光量調整部と、前記補助動作を前記光量調整部に実行させるための電力を蓄える蓄電部と、前記蓄電部の状態を通知するための通知信号を送信する送信部と、を備え、前記通知信号は、前記蓄電部が充電中であるか否かを表す充電情報と、前記蓄電部に蓄えられている電力量を表す残量情報と、を含むことを特徴とする。
【０００９】
本発明の他の局面に係る表示装置は、映像を立体的に知覚させるように前記映像の観察を補助する補助動作を行う眼鏡装置の状態を通知するための通知信号を受信する受信部と、該受信部が受信した前記通知信号に応じて、前記眼鏡装置の前記状態を表す状態画像を生成する画像生成部と、前記状態画像を表示するための表示部と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記画像生成部は、前記眼鏡装置に蓄えられている電力量を表すための電力量画像を、前記状態画像として、生成することを特徴とする。
【００１０】
本発明の更に他の局面に係る映像システムは、観察者に立体的に知覚される映像を表示する表示装置と、前記映像を立体的に知覚させるように前記映像の観察を補助する補助動作を行う眼鏡装置と、を備え、該眼鏡装置は、前記観察者の左眼及び右眼への透過光量を調整し、前記補助動作を行う光量調整部と、前記補助動作を前記光量調整部に実行させるための電力を蓄える蓄電部と、前記蓄電部の状態を通知するための通知信号を送信する送信部と、を含み、前記通知信号は、前記蓄電部が充電中であるか否かを表す充電情報と、前記蓄電部に蓄えられている電力量を表す残量情報と、を含み、前記表示装置は、前記通知信号を受信する受信部と、該受信部が受信した前記通知信号に応じて、前記蓄電部の前記状態を表す状態画像を生成する画像生成部と、前記状態画像を表示するための表示部と、を含み、前記充電情報が、前記蓄電部が充電中でないことを表すならば、前記画像生成部は、前記蓄電部に蓄えられている電力量を表すための電力量画像を、前記状態画像として、生成することを特徴とする。
【００１１】
本発明の更に他の局面に係る映像システムの制御方法は、立体的に知覚される映像を表示する表示装置と、前記映像の観察を補助する補助動作を行う眼鏡装置と、の間で、前記眼鏡装置の状態を通知するための通知信号を通信する段階と、前記通知信号に応じて、前記眼鏡装置の前記状態を表す状態画像を前記表示装置に生成及び表示させる段階と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記表示装置は、前記眼鏡装置に蓄えられている電力量を表すための電力量画像を、前記状態画像として、生成及び表示することを特徴とする。
【００１２】
本発明は、眼鏡装置の状態を観察者に適切に通知することができる。
【００１３】
本発明の目的、特徴及び利点は、以下の詳細な説明と添付図面とによって、より明白となる。
【図面の簡単な説明】
【００１４】
【図１】例示的な眼鏡装置の概略的な斜視図である。
【図２】図１に示される眼鏡装置の機能構成を表す概略的なブロック図である。
【図３】例示的な表示装置の概略図である。
【図４】図３に示される表示装置の機能構成を表す概略的なブロック図である。
【図５Ａ】例示的な映像システムの概略図である。
【図５Ｂ】図５Ａに示される映像システムの概略図である。
【図５Ｃ】図５Ｂに示される映像システムの概略図である。
【図６】図２に示される眼鏡装置の光量調整部の動作を表す概略的なタイミングチャートである。
【図７】眼鏡装置と表示装置との間の通信を概略的に表すチャートである。
【図８】通知信号に用いられるパケット構造のペイロード部の構造の概略図である。
【図９】情報Ｅに対して割り当てられたデータ区画内のデータ構造の概略図である。
【図１０】充電情報の表現パターンを例示する表である。
【図１１Ａ】第１残量情報の表現パターンを例示する表である。
【図１１Ｂ】第２残量情報の表現パターンを例示する表である。
【図１２】図５Ａ乃至図５Ｃに示される映像システムの制御方法の概略的なフローチャートである。
【発明を実施するための形態】
【００１５】
例示的な映像技術が、添付の図面を参照して説明される。尚、図面に示される構成、配置或いは形状等並びに図面に関連する記載は、映像技術の原理を容易に理解させることを目的とする。したがって、映像技術の原理は、以下の詳細な説明に何ら限定するものではない。
【００１６】
（眼鏡装置）
図１は、眼鏡装置１００の概略的な斜視図である。図１を用いて、眼鏡装置１００が説明される。
【００１７】
眼鏡装置１００は、観察者の左眼及び右眼へ透過する光量を調整するシャッタ部１１０を備える。シャッタ部１１０は、観察者の左眼前に配置される左シャッタ１１１と、右眼前に配置される右シャッタ１１２と、を含む。
【００１８】
表示装置（後述される）が、左眼で観察される左フレーム画像を表示している間、左シャッタ１１１が開く一方で、右シャッタ１１２は閉じる。この結果、左眼へ到達する映像光の量は大きくなる一方で、右眼へ到達する映像光の量は小さくなる。かくして、観察者は、左眼で左フレーム画像を観察することとなる。
【００１９】
表示装置が、右眼で観察される右フレーム画像を表示している間、左シャッタ１１１が閉じる一方で、右シャッタ１１２は開く。この結果、左眼へ到達する映像光の量は小さくなる一方で、右眼へ到達する映像光の量は大きくなる。かくして、観察者は、右眼で右フレーム画像を観察することとなる。
【００２０】
表示装置が、例えば、左フレーム画像と右フレーム画像とを交互に表示し、且つ、左シャッタ１１１及び右シャッタ１１２が、上述の如く、左フレーム画像及び右フレーム画像に同期して、開閉するならば、観察者は、左フレーム画像と右フレーム画像とを脳内で合成する。左フレーム画像に描かれるオブジェクトと右フレーム画像に描かれるオブジェクトとの間には、位置的な差異が設けられているので、観察者は、位置的な差異量の分だけ、映像が表示される表示面からオブジェクトが飛び出したように、或いは、表示面からオブジェクトが引っ込んだように知覚することができる（即ち、観察者は、表示装置が表示する映像を立体的に知覚する）。本実施形態において、左フレーム画像及び右フレーム画像の表示に同期した左シャッタ１１１及び右シャッタ１１２の開閉動作は、立体映像の観察を補助するので、補助動作として例示される。また、シャッタ部１１０は、左シャッタ１１１及び右シャッタ１１２を用いて、左眼及び右眼への透過光量を調整するので、光量調整部として例示される。
【００２１】
眼鏡装置１００は、シャッタ部１１０を支持するフレーム部１２１と、フレーム部１２１から観察者の耳へ向けて延びるアーム部１２２と、を備える。したがって、観察者は、一般的な視力矯正用の眼鏡と同様に、眼鏡装置１００を着用することができる。この結果、左シャッタ１１１は、左眼前に配置され、且つ、右シャッタ１１２は、右眼前に配置される。
【００２２】
眼鏡装置１００は、シャッタ部１１０への給電を制御するためのスイッチ素子１３０を更に備える。観察者がスイッチ素子１３０を「オン位置」に設定するならば、眼鏡装置１００内の様々な要素（後述される）への給電が開始される。観察者がスイッチ素子１３０を「オフ位置」に設定するならば、眼鏡装置１００内の様々な要素への給電は停止される。したがって、観察者は、スイッチ素子１３０を用いて、不必要な電力消費を防止することができる。
【００２３】
眼鏡装置１００は、充電用のプラグポート１４０を更に備える。観察者は、電源（図示せず）に接続された電力ケーブルのプラグ（図示せず）を、プラグポート１４０に差し込み、眼鏡装置１００を充電することができる。尚、眼鏡装置１００への充電は、電力ケーブルを用いることなく行われてもよい。例えば、眼鏡装置１００は、ワイヤレス方式で充電されてもよい。
【００２４】
眼鏡装置１００は、表示装置と通信するための通信素子１５０を更に備える。通信素子１５０は、例えば、眼鏡装置１００の状態を通知するための通知信号を送信するために用いられる。表示装置は、通知信号に応じて、眼鏡装置１００の状態を表す状態画像を生成及び表示する。この結果、観察者は、眼鏡装置１００の状態を、視覚的に把握することができる。本実施形態において、通信素子１５０は、送信部として例示される。
【００２５】
加えて、通信素子１５０は、表示装置から同期制御信号を受信するために用いられる。同期制御信号の適切な受信下において、左シャッタ１１１は、左フレーム画像の表示に同期して開き、右フレーム画像の表示に同期して閉じる。また、右シャッタ１１２は、右フレーム画像の表示に同期して開き、左フレーム画像の表示に同期して閉じる。
【００２６】
必要に応じて、通信素子１５０は、対象となる表示装置を特定するためのペアリング操作のために利用されてもよい。上述の様々な通信動作は、後述される。
【００２７】
図２は、眼鏡装置１００の機能構成を表す概略的なブロック図である。図１及び図２を用いて、眼鏡装置１００が更に説明される。
【００２８】
眼鏡装置１００は、上述の補助動作や表示装置との通信を司る作動部１６０と、作動部１６０への給電を制御するための給電制御部１７０と、を備える。
【００２９】
給電制御部１７０は、補助動作や表示装置との通信に用いられる電力を蓄える蓄電部１７１を備える。蓄電部１７１は、図１を参照して説明されたプラグポート１４０及び外部からの電力を蓄えることができる蓄電素子（図示せず）を含んでもよい。
【００３０】
給電制御部１７０は、作動部１６０へ給電する給電動作と給電動作を停止する停止動作との間で給電モードを切り替えるための給電切替部１７２を更に備える。給電切替部１７２は、図１を参照して説明されたスイッチ素子１３０及びスイッチ素子１３０に対する操作に応じて配線を切り替えるスイッチング回路（図示せず）を含んでもよい。観察者がスイッチ素子１３０をオン位置に設定するならば、給電切替部１７２は、給電動作を実行する。観察者がスイッチ素子１３０をオフ位置に設定するならば、給電切替部１７２は、停止動作を実行する。したがって、観察者は、スイッチ素子１３０の操作を行い、給電切替部１７２による給電モードの切替を適切に行うことができる。この結果、作動部１６０への不必要な電力供給が防止される。
【００３１】
給電制御部１７０は、蓄電部１７１に蓄えられている電力量及び／又は電力量の変動を検出する検出部１７３を更に備える。検出部１７３は、蓄電部１７１に蓄えられている電力量及び／又は電力量の変動を表すデータ信号を出力する。
【００３２】
作動部１６０は、映像を立体的に知覚させるように映像の観察を補助する補助動作を行う光量調整部１６１を備える。光量調整部１６１は、蓄電部１７１が蓄えた電力を用いて、補助動作を実行する。光量調整部１６１は、図１を参照して説明されたシャッタ部１１０に加えて、左シャッタ１１１及び右シャッタ１１２を駆動するための駆動回路を含んでもよい。
【００３３】
光量調整部１６１は、左眼へ透過する映像光の量を調整する左調整部１６２と、右眼へ透過する映像光の量を調整する右調整部１６３と、を含む。左調整部１６２は、図１を参照して説明された左シャッタ１１１に相当する。したがって、左シャッタ１１１が開くことは、左調整部１６２が左眼への透過光量を増大させていることを意味する。左シャッタ１１１が閉じることは、左調整部１６２が左眼への透過光量を減少させていることを意味する。右調整部１６３は、図１を参照して説明された右シャッタ１１２に相当する。したがって、右シャッタ１１２が開くことは、右調整部１６３が右眼への透過光量を増大させていることを意味する。右シャッタ１１２が閉じることは、右調整部１６３が右眼への透過光量を減少させていることを意味する。
【００３４】
作動部１６０は、表示装置へ送信される様々な信号を生成する信号生成部１６４を更に備える。信号生成部１６４は、給電切替部１７２が給電動作を開始すると、通信可能な或いは対象となる表示装置を特定するための検索信号を生成する。
【００３５】
給電切替部１７２が給電動作を実行している間、信号生成部１６４は、検出部１７３が出力したデータ信号を受け取ることができる。信号生成部１６４は、データ信号に応じて、蓄電部１７１の状態を判定することができる。データ信号が、例えば、蓄電部１７１内の電力量の増加を表すならば、信号生成部１６４は、蓄電部１７１が充電中であると判定することができる。他の場合において、信号生成部１６４は、データ信号に応じて、蓄電部１７１に蓄えられている電力量を判定することができる。信号生成部１６４は、データ信号に応じて、蓄電部１７１が充電中であるか否かを表す充電情報と、蓄電部１７１に蓄えられている電力量を表す残量情報と、を含む通知信号を生成並びに出力する。
【００３６】
作動部１６０は、眼鏡装置１００と表示装置との間で様々な通信を行うための通信部１６５を更に備える。通信部１６５は、給電切替部１７２の給電動作の開始に応じて信号生成部１６４が生成した検索信号を送信する。検索信号には、例えば、眼鏡装置１００の通信アドレスに関する情報が含まれている。その後、検索信号が表示装置によって受信されるならば、表示装置は、検索信号が含む通信アドレスに向けて、応答信号を送信する。応答信号には、例えば、表示装置の通信アドレスに関する情報が含まれている。検索信号及び応答信号の送受信の結果、眼鏡装置１００及び表示装置は、互いを認識することができる。本実施形態において、通信部１６５は、図１に関連して説明された通信素子１５０に加えて、表示装置の通信アドレスを記憶する記憶素子を備えてもよい。
【００３７】
通信部１６５は、その後、信号生成部１６４によって生成された通知信号を、認識された表示装置の通信アドレスに送信する。この結果、表示装置に蓄電部１７１の状態が通知される。上述の如く、通知信号は、充電情報を含むので、表示装置は、蓄電部１７１が充電中であるか否かを判定することができる。また、通知信号は、残量情報を含むので、表示装置は、蓄電部１７１に蓄えられている電力量を判定することができる。本実施形態において、通信部１６５は、送信部として例示される。
【００３８】
通信部１６５は、表示装置から送信された同期制御信号を受信することができる。通信部１６５は、例えば、同期制御信号からノイズを除去するフィルタリング処理を行なってもよい。
【００３９】
作動部１６０は、光量調整部１６１を制御する動作制御部１６６を更に備える。通信部１６５は、同期制御信号を動作制御部１６６に出力する。動作制御部１６６は、同期制御信号に応じて、左調整部１６２及び右調整部１６３による光量の調整動作のタイミングを制御する。この結果、表示装置が左フレーム画像を表示している間、左調整部１６２は、左眼への透過光量を増大させる一方で、右調整部１６３は、右眼への透過光量を低減させる。表示装置が右フレーム画像を表示している間、左調整部１６２は、左眼への透過光量を低減させる一方で、右調整部１６３は、右眼への透過光量を増大させる。
【００４０】
動作制御部１６６は、信号生成部１６４を制御する。上述の検索信号が送信された後、通信部１６５が所定期間、応答信号を受信しないならば、通信部１６５は、応答信号の不受信を動作制御部１６６に通知してもよい。この場合、信号生成部１６４は、動作制御部１６６の制御下で、再度、検索信号を生成する。したがって、眼鏡装置１００は、表示装置からの応答を受けるまで、繰り返し、検索信号を送信することができる。
【００４１】
（表示装置）
図３は、表示装置２００の概略図である。図１及び図３を用いて、表示装置２００が説明される。
【００４２】
表示装置２００は、映像を表示するディスプレイパネル２１０と、眼鏡装置１００と様々な信号を通信する通信素子２５０と、を備える。
【００４３】
ディスプレイパネル２１０は、左フレーム画像と右フレーム画像とを交互に表示する。眼鏡装置１００は、左フレーム画像及び右フレーム画像の表示に同期した補助動作を行うので、観察者は、ディスプレイパネル２１０に表示される映像を立体的に知覚することができる。
【００４４】
通信素子２５０は、眼鏡装置１００から送信された検索信号を受信する。その後、通信素子２５０は、眼鏡装置１００へ応答信号を送信する。検索信号及び応答信号の送受信の結果、眼鏡装置１００及び表示装置２００は、互いを認識することができる。
【００４５】
通信素子２５０は、眼鏡装置１００から送信された通知信号を受信する。通信素子２５０が通知信号を受信するならば、ディスプレイパネル２１０は、眼鏡装置１００の状態を表現する状態画像を表示する。図３において、状態画像が表示される領域ＳＳが、ディスプレイパネル２１０中に点線で表されている。ディスプレイパネル２１０は、左フレーム画像又は右フレーム画像に、状態画像を組み込んで、映像を表示する。したがって、観察者は、立体映像を観察しながら、眼鏡装置１００の状態を確認することができる。本実施形態において、通信素子２５０は、受信部として例示される。ディスプレイパネル２１０は、表示部として例示される。
【００４６】
通信素子２５０は、眼鏡装置１００へ同期制御信号を送信する。同期制御信号を受信した眼鏡装置１００のシャッタ部１１０は、ディスプレイパネル２１０が表示する左フレーム画像及び右フレーム画像の表示に同期した補助動作を実行する。
【００４７】
図４は、表示装置２００の機能構成を表す概略的なブロック図である。図２乃至図４を用いて、表示装置２００が更に説明される。
【００４８】
表示装置２００は、映像信号が入力される入力部２６０を備える。入力部２６０は、符号化された映像信号が入力される入力ポートや入力された映像信号を復号化する復号化回路を含んでもよい。入力部２６０は、復号化された映像信号を映像処理部２６１へ出力することができる。
【００４９】
表示装置２００は、映像信号を処理し、画像データを作り出す映像処理部２６１を更に備える。入力部２６０は、映像処理部２６１に映像信号を出力する。映像処理部２６１は、映像信号を用いて、左フレーム画像及び右フレーム画像のデータを生成する。
【００５０】
表示装置２００は、左フレーム画像及び右フレーム画像を交互に表示する表示部２６３を更に備える。映像処理部２６１は、左フレーム画像に対応するデータと右フレーム画像に対応するデータとを交互に表示部２６３に出力する。この結果、表示部２６３は、左フレーム画像と右フレーム画像とを交互に表示することができる。本実施形態において、表示部２６３は、図３を参照して説明されたディスプレイパネル２１０に相当する。
【００５１】
表示装置２００は、映像処理部２６１を制御する制御部２６４を更に備える。映像処理部２６１は、制御部２６４の制御下で、左フレーム画像及び右フレーム画像のデータを生成並びに出力する。
【００５２】
表示装置２００は、映像処理部２６１による左フレーム画像及び右フレーム画像のデータの出力に同期して、同期制御信号を生成する信号生成部２６５を更に備える。信号生成部２６５も、制御部２６４の制御下で、同期制御信号を生成するので、左フレーム画像及び右フレーム画像のデータの出力に対して、同期制御信号の生成は適切に同期することとなる。
【００５３】
表示装置２００は、同期制御信号を眼鏡装置１００へ送信する通信部２６６を更に備える。上述の如く、信号生成部２６５は、映像処理部２６１による左フレーム画像及び右フレーム画像のデータの出力に同期して、同期制御信号を生成するので、通信部２６６は、表示部２６３による左フレーム画像及び右フレーム画像の表示に同期して、眼鏡装置１００へ同期制御信号を出力することができる。本実施形態において、通信部２６６は、図３を参照して説明された通信素子２５０に対応する。
【００５４】
通信部２６６は、眼鏡装置１００から送信された検索信号を受信することができる。通信部２６６は、通信素子２５０に加えて、検索信号に含まれる通信アドレスを記憶するための記憶素子を含んでもよい。通信部２６６は、検索信号の受信に応じて、眼鏡装置１００の通信アドレスを記憶することができる。
【００５５】
検索信号を受信した通信部２６６は、制御部２６４へ検索信号の受信を通知する。検索信号の受信が通知された制御部２６４は、信号生成部２６５に応答信号を生成させる。信号生成部２６５は、表示装置２００の通信アドレスに関する情報を含むように、応答信号を生成する。生成された応答信号は、その後、通信部２６６に出力される。通信部２６６は、記憶された眼鏡装置１００の通信アドレスに向けて、応答信号を送信する。この結果、表示装置２００及び眼鏡装置１００は、互いを認識することができる。
【００５６】
通信部２６６は、眼鏡装置１００から送信された通知信号を受信することができる。通信部２６６は、制御部２６４へ通知信号を出力する。制御部２６４は、通知信号の内容を解釈する。上述の如く、眼鏡装置１００から送信された通知信号は、充電情報を含む。したがって、制御部２６４は、蓄電部１７１が充電中であるか否かを判定することができる。また、通知信号は、残量情報も含む。したがって、制御部２６４は、蓄電部１７１に充電されている電力量を判定することができる。本実施形態において、通信部２６６は、受信部として例示される。
【００５７】
表示装置２００は、制御部２６４による通知信号に対する解釈結果に応じて（即ち、通信部２６６が受信した通知信号に応じて）、状態画像を生成する画像生成部２６７を更に備える。制御部２６４が、蓄電部１７１が充電中でないと判定するならば（即ち、通知信号が、蓄電部１７１が充電中でないとの情報を含むならば）、画像生成部２６７は、制御部２６４の制御下で、眼鏡装置１００に蓄えられている電力量を表すための電力量画像を、状態画像として生成する。制御部２６４が、蓄電部１７１が充電中であると判定するならば（即ち、通知信号が、蓄電部１７１が充電中であるとの情報を含むならば）、画像生成部２６７は、制御部２６４の制御下で、眼鏡装置１００が充電中であることを表す充電画像を生成する。
【００５８】
画像生成部２６７は、生成された状態画像のデータを映像処理部２６１へ出力する。映像処理部２６１は、映像信号に基づく左フレーム画像及び／又は右フレーム画像に状態画像を組み込む。映像処理部２６１は、状態画像が組み込まれた左フレーム画像及び／又は右フレーム画像のデータを、その後、表示部２６３へ出力する。図３を参照して説明された如く、表示部２６３として例示されるディスプレイパネル２１０の領域ＳＳに、状態画像が表示される。この結果、観察者は、映像信号に基づく映像を観察しながら、眼鏡装置１００の状態を確認することができる。
【００５９】
眼鏡装置１００が充電されているか否かの情報は、眼鏡装置１００を充電するための動作を行った観察者にとって有益である。したがって、眼鏡装置１００が充電されている間に、充電画像が領域ＳＳに表示されていることは、観察者にとって有益である。
【００６０】
眼鏡装置１００が充電されていないならば、眼鏡装置１００の蓄電量の不足は、映像の観察を阻害する。したがって、眼鏡装置１００が蓄えている電力量に関する情報は、観察者にとって、有益である。したがって、眼鏡装置１００が充電されていない間に、電力量画像が領域ＳＳに表示されていることは、観察者にとって有益である。
【００６１】
（映像システムの通信動作）
図５Ａは、映像システム３００の概略図である。図２、図４及び図５Ａを用いて、映像システム３００の通信動作が説明される。
【００６２】
映像システム３００は、眼鏡装置１００及び表示装置２００を備える。図２を参照して説明された如く、眼鏡装置１００の給電制御部１７０が作動部１６０への給電動作を開始すると、眼鏡装置１００から検索信号が送信される。上述の如く、検索信号には、好ましくは、眼鏡装置１００の通信アドレスに関する情報が含まれている。表示装置２００が、検索信号の送信範囲に存在するならば、表示装置２００は、応答信号（以下、検索信号に対応する応答信号は、「第１応答信号」と称される）を検索信号が含む通信アドレスに向けて送信する。第１応答信号は、表示装置２００の通信アドレスに関する情報を含む。眼鏡装置１００が第１応答信号を受信するならば、眼鏡装置１００は、表示装置２００の通信アドレスに関する情報を取得することができる。
【００６３】
眼鏡装置１００が第１応答信号を、検索信号の送信から所定期間、受信しないならば、眼鏡装置１００の通信部１６５は、動作制御部１６６に、第１応答信号の不受信を通知する。この結果、動作制御部１６６は、信号生成部１６４に、再度、検索信号を生成させてもよい。この結果、第１応答信号の受信があるまで、眼鏡装置１００は、検索信号を繰り返し送信することができる。
【００６４】
図５Ｂは、映像システム３００の概略図である。図２、図４乃至図５Ｂを用いて、映像システム３００の通信動作が説明される。
【００６５】
眼鏡装置１００の通信部１６５が第１応答信号を受信すると、通信部１６５は第１応答信号の受信を動作制御部１６６へ通知する。この結果、動作制御部１６６は、信号生成部１６４に通知信号を生成させる。
【００６６】
図２に関連して説明された如く、信号生成部１６４は、検出部１７３からデータ信号を受け取る。信号生成部１６４は、データ信号に応じて、蓄電部１７１の状態を判定する。例えば、データ信号が、蓄電部１７１内の電力量の増加を表すならば、信号生成部１６４は、蓄電部１７１が充電中であると判定する。他の場合において、信号生成部１６４は、データ信号に応じて、蓄電部１７１に蓄えられている電力量を判定する。信号生成部１６４は、データ信号に応じて、蓄電部１７１が充電中であるか否かを表す充電情報と、蓄電部１７１に蓄えられている電力量を表す残量情報と、を含む通知信号を生成並びに出力する。通信部１６５は、生成された通知信号を表示装置２００の通信アドレスに向けて送信する。
【００６７】
図４に関連して説明された如く、表示装置２００が通知信号を受信するならば、画像生成部２６７は、状態画像を生成する。この結果、表示部２６３は、状態画像が組み込まれた映像を表示することができる。この結果、観察者は、眼鏡装置１００が蓄えている電力量に関する情報を得ることができる。
【００６８】
表示装置２００の制御部２６４は、通信部２６６を介して通知信号を受け取ると、信号生成部２６５に第２応答信号を生成させる。第２応答信号は、通信部２６６によって、眼鏡装置１００の通信アドレスに送信される。
【００６９】
眼鏡装置１００が第２応答信号を、通知信号の送信から所定期間、受信しないならば、眼鏡装置１００の通信部１６５は、動作制御部１６６に、第２応答信号の不受信を通知する。この結果、動作制御部１６６は、信号生成部１６４に、再度、通知信号を生成させてもよい。この結果、第２応答信号の受信があるまで、眼鏡装置１００は、通知信号を繰り返し送信することができる。
【００７０】
図５Ｃは、映像システム３００の概略図である。図２、図５Ｂ及び図５Ｃを用いて、映像システム３００の通信動作が説明される。
【００７１】
第２応答信号の送信の後、表示装置２００は、眼鏡装置１００に同期制御信号を繰り返し送信する。図２を参照して説明されたように、眼鏡装置１００の光量調整部１６１は、同期制御信号に応じて、補助動作を行い、左眼及び右眼への透過光量を調整する。
【００７２】
図６は、同期制御信号に応じた光量調整部１６１の動作を表す概略的なタイミングチャートである。図２、図５Ｃ及び図６を用いて、同期制御信号に応じた光量調整部１６１の動作が説明される。
【００７３】
図６のセクション（ａ）は、左フレーム画像の表示期間として割り当てられた左フレーム期間と、右フレーム画像の表示期間として割り当てられた右フレーム期間とを表す。左フレーム期間及び右フレーム期間は交互に割り当てられている。
【００７４】
図６のセクション（ｂ）は、表示装置２００から送信される同期制御信号を表す。同期制御信号は、左調整部１６２を動作させるために信号レベルを、左フレーム期間の開始に同期して、増加させる。また、同期制御信号は、右調整部１６３を動作させるために信号レベルを、右フレーム期間の開始に同期して、低減させる。
【００７５】
図６のセクション（ｃ）は、左眼への透過光量の変動を表す。左眼への透過光量の変動は、左調整部１６２による光量調整動作を反映している。上述の如く、左調整部１６２は、左フレーム期間の開始に同期した信号レベルの増加に応じて、動作する。この結果、左眼への透過光量は、左フレーム期間内で増加及び減少する。この結果、左フレーム期間において、観察者は、左眼で映像を観察する。一方、右フレーム期間において、左調整部１６２を動作させるための信号レベルの増加は生じないので、左眼への透過光量は低いレベルを保ち続ける。したがって、右フレーム期間において、観察者は、左眼で映像を観察しない。
【００７６】
図６のセクション（ｄ）は、右眼への透過光量の変動を表す。右眼への透過光量の変動は、右調整部１６３による光量調整動作を反映している。上述の如く、右調整部１６３は、右フレーム期間の開始に同期した信号レベルの低下に応じて、動作する。この結果、右眼への透過光量は、右フレーム期間内で増加及び減少する。この結果、右フレーム期間において、観察者は、右眼で映像を観察する。一方、左フレーム期間において、右調整部１６３を動作させるための信号レベルの低下は生じないので、右眼への透過光量は低いレベルを保ち続ける。したがって、左フレーム期間において、観察者は、右眼で映像を観察しない。
【００７７】
上述の光量調整部１６１の動作の結果、観察者は、左眼で左フレーム画像を観察し、右眼で右フレーム画像を観察することとなる。したがって、観察者は、表示装置２００によって表示される映像を立体的に知覚することができる。
【００７８】
図７は、眼鏡装置１００と表示装置２００との間の通信を概略的に表すチャートである。図２及び図７を用いて、眼鏡装置１００と表示装置２００との間の通信が説明される。
【００７９】
図２に関連して説明された如く、給電制御部１７０が給電動作を開始すると、眼鏡装置１００から表示装置２００へ検索信号が送信される。表示装置２００は、検索信号に応じて、第１応答信号を眼鏡装置１００へ送信する。この結果、眼鏡装置１００及び表示装置２００は、互いの情報を取得することができる。
【００８０】
その後、眼鏡装置１００は、通知信号を表示装置２００へ送信する。この結果、表示装置２００は、状態画像を表示する。加えて、表示装置２００は、第２応答信号を眼鏡装置１００へ送信する。
【００８１】
第２応答信号の送信の後、表示装置２００は、同期制御信号を、眼鏡装置１００へ繰り返し送信する。この結果、光量調整部１６１は、同期制御信号に応じた補助動作を行うことができる。
【００８２】
（通知信号）
図７を参照して説明された眼鏡装置１００と表示装置２００との間の通信に関して、Bluetooth（登録商標）、ZigBeeやWiFiといった通信方式に従うパケット構造のペイロード部に情報が格納される。通信される情報が単一のパケットに収まらないならば、情報は、複数のパケットに分割され、眼鏡装置１００と表示装置２００との間で通信される。
【００８３】
図８は、通知信号に用いられるパケット構造のペイロード部の構造の概略図である。図２、図７及び図８を用いて、通知信号が説明される。
【００８４】
ペイロード部は、表示装置２００に送られる様々な種類の情報（図８には、情報Ａ乃至情報Ｇが示されている）を表すために１〜数バイトのデータ区画に区分される。本実施形態において、「情報Ｅ」は、蓄電部１７１に関する情報（即ち、充電情報及び残量情報）を表す。「情報Ｅ」に対して、例えば、「１byte」の長さのデータ区画が割り当てられている。
【００８５】
図９は、情報Ｅに対して割り当てられたデータ区画内のデータ構造の概略図である。図２及び図９を用いて、通知信号が更に説明される。
【００８６】
情報Ｅに対して割り当てられたデータ区画は、例えば、「８bit」に区分される（Bit(0)からBit(7)）。上述の充電情報は、「Bit (0)」と「Bit (1)」とを用いて、表される。上述の残量情報は、「Bit (2)」から「Bit (7)」を用いて、表される。
【００８７】
残量情報は、蓄電部１７１が蓄電することができる最大蓄電量に対する現在の蓄電量の割合を表す第１残量情報と、現在の蓄電量の下、光量調整部１６１が適切に補助動作を行うことができる期間を表す第２残量情報と、を含む。第１残量情報は、「Bit (2)」から「Bit (4)」を用いて、表される。第２残量情報は、「Bit (5)」から「Bit (7)」を用いて、表される。本実施形態において、第１残量情報及び第２残量情報が眼鏡装置１００から送信される。代替的に、眼鏡装置は、第１残量情報及び第２残量情報のうち一方を送信してもよい。
【００８８】
図１０は、充電情報の表現パターンを例示する表である。図２、図４及び図１０を用いて、充電情報が説明される。
【００８９】
図２を参照して説明されたように、信号生成部１６４は、検出部１７３からのデータ信号に応じて、充電情報の内容を定める。データ信号が、蓄電部１７１が充電中でないことを表すならば、信号生成部１６４は、「Bit (0)」及び「Bit (1)」に対して、「０」の値をそれぞれ割り当てる。データ信号が、蓄電部１７１が充電中であることを表すならば、信号生成部１６４は、「Bit (0)」に対して、「０」の値を割り当て、且つ、「Bit (1)」に対して、「１」の値を割り当てる。「Bit (0)」及び「Bit (1)」に対する「１」と「０」との値の組み合わせは、充電中か否かを表す情報以外の情報を表現するために予備的に確保されている。「Bit (0)」及び「Bit (1)」に対する「１」と「１」との値の組み合わせは、眼鏡装置１００が表示装置２００に充電情報を送信しないとき、又は、信号生成部１６４が、検出部１７３からのデータ信号に基づいて、充電中か否かを判定できないときに用いられてもよい。
【００９０】
表示装置２００の制御部２６４が、「Bit (0)」及び「Bit (1)」に対して、「０」と「０」との値の組み合わせを見出すならば、画像生成部２６７は、状態画像として、電力量画像を生成する。制御部２６４が、「Bit (0)」及び「Bit (1)」に対して、「０」と「１」との値の組み合わせを見出すならば、画像生成部２６７は、状態画像として、充電画像を生成する。
【００９１】
図１１Ａは、第１残量情報の表現パターンを例示する表である。図１１Ｂは、第２残量情報の表現パターンを例示する表である。図２、図４、図１０乃至図１１Ｂを用いて、残量情報が説明される。
【００９２】
信号生成部１６４は、検出部１７３からのデータ信号に応じて、「Bit (2)」から「Bit (7)」に対して、「０」又は「１」の値をそれぞれ割り当てる。
【００９３】
検出部１７３からのデータ信号が、蓄電部１７１に蓄えられている電力量が略「０」であることを表すならば、信号生成部１６４は、「Bit (2)」から「Bit (4)」に対して、「０」の値をそれぞれ割り当てる。検出部１７３からのデータ信号が、蓄電部１７１に蓄えられている電力量が２５％程度残存していることを表すならば、信号生成部１６４は、「Bit (2)」及び「Bit (3)」に対して、「０」の値をそれぞれ割り当て、且つ、「Bit (4)」に対して、「１」の値を割り当てる。検出部１７３からのデータ信号が、蓄電部１７１に蓄えられている電力量が５０％程度残存していることを表すならば、信号生成部１６４は、「Bit (2)」及び「Bit (4)」に対して、「０」の値をそれぞれ割り当て、且つ、「Bit (3)」に対して、「１」の値を割り当てる。検出部１７３からのデータ信号が、蓄電部１７１に蓄えられている電力量が５０％程度残存していることを表すならば、信号生成部１６４は、「Bit (3)」及び「Bit (4)」に対して、「０」の値をそれぞれ割り当て、且つ、「Bit (2)」に対して、「１」の値を割り当てる。検出部１７３からのデータ信号が、蓄電部１７１に蓄えられている電力量が最大値であることを表すならば、信号生成部１６４は、「Bit (3)」及び「Bit (4)」に対して、「１」の値をそれぞれ割り当て、且つ、「Bit (2)」に対して、「０」の値を割り当てる。データ信号が、蓄電部１７１の蓄電量に対して「情報なし」であることを表すならば、信号生成部１６４は、「Bit (2)」から「Bit (4)」に対して、「１」の値をそれぞれ割り当てる。「Bit (2)」から「Bit (4)」に割り当てられる数値の他の組み合わせは、他の残存比率を表現するため等に予備的に確保されている。したがって、蓄電部１７１の電力量の残存比率は、より詳細に表現されてもよい。
【００９４】
検出部１７３からのデータ信号が、蓄電部１７１に蓄えられている電力量に応じて、光量調整部１６１が適切に動作することができる時間が「２時間未満」であることを表すならば、信号生成部１６４は、「Bit (5)」から「Bit (7)」に対して、「０」の値をそれぞれ割り当てる。検出部１７３からのデータ信号が、蓄電部１７１に蓄えられている電力量に応じて、光量調整部１６１が適切に動作することができる時間が「５時間未満」であることを表すならば、信号生成部１６４は、「Bit (5)」及び「Bit (6)」に対して、「０」の値をそれぞれ割り当て、且つ、「Bit (7)」に対して、「１」の値を割り当てる。検出部１７３からのデータ信号が、蓄電部１７１に蓄えられている電力量に応じて、光量調整部１６１が適切に動作することができる時間が「１０時間未満」であることを表すならば、信号生成部１６４は、「Bit (5)」及び「Bit (7)」に対して、「０」の値をそれぞれ割り当て、且つ、「Bit (6)」に対して、「１」の値を割り当てる。検出部１７３からのデータ信号が、蓄電部１７１に蓄えられている電力量に応じて、光量調整部１６１が適切に動作することができる時間が「１０時間以上」であることを表すならば、信号生成部１６４は、「Bit (6)」及び「Bit (7)」に対して、「１」の値をそれぞれ割り当て、且つ、「Bit (5)」に対して、「０」の値を割り当てる。データ信号が、蓄電部１７１の蓄電量に対して「情報なし」であることを表すならば、信号生成部１６４は、「Bit (5)」から「Bit (7)」に対して、「１」の値をそれぞれ割り当ててもよい。「Bit (5)」から「Bit (7)」に割り当てられる数値の他の組み合わせは、光量調整部１６１の他の稼動時間を表現するため等に予備的に確保されている。したがって、光量調整部１６１の稼動時間は、より詳細に表現されてもよい。
【００９５】
表示装置２００の制御部２６４が、「Bit (2)」から「Bit (4)」に割り当てられた数値が全て「０」であることを見出すならば、画像生成部２６７は、蓄電部１７１に残存している電力量が「略０％」であることを表す第１電力量画像を表示する。制御部２６４が、「Bit (2)」及び「Bit (3)」に割り当てられた数値が「０」であり、「Bit (4)」に割り当てられた数値が「１」であることを見出すならば、画像生成部２６７は、蓄電部１７１に残存している電力量が「２５％」であることを表す第１電力量画像を表示する。制御部２６４が、「Bit (2)」及び「Bit (4)」に割り当てられた数値が「０」であり、「Bit (3)」に割り当てられた数値が「１」であることを見出すならば、画像生成部２６７は、蓄電部１７１に残存している電力量が「５０％」であることを表す第１電力量画像を表示する。制御部２６４が、「Bit (3)」及び「Bit (4)」に割り当てられた数値が「０」であり、「Bit (2)」に割り当てられた数値が「１」であることを見出すならば、画像生成部２６７は、蓄電部１７１に残存している電力量が「７５％」であることを表す第１電力量画像を表示する。制御部２６４が、「Bit (3)」及び「Bit (4)」に割り当てられた数値が「１」であり、「Bit (2)」に割り当てられた数値が「０」であることを見出すならば、画像生成部２６７は、蓄電部１７１に残存している電力量が最大値であることを表す第１電力量画像を表示する。表示装置２００の制御部２６４が、「Bit (2)」から「Bit (4)」に割り当てられた数値が全て「１」であることを見出すとき、表示装置２００は、蓄電量に対して「情報なし」であることを表す画像を表示してもよい。
【００９６】
表示装置２００の制御部２６４が、「Bit (5)」から「Bit (7)」に割り当てられた数値が全て「０」であることを見出すならば、画像生成部２６７は、光量調整部１６１が補助動作を継続することができる期間は、「２時間未満」であることを表す第２電力量画像を表示する。制御部２６４が、「Bit (5)」及び「Bit (6)」に割り当てられた数値が「０」であり、「Bit (7)」に割り当てられた数値が「１」であることを見出すならば、画像生成部２６７は、光量調整部１６１が補助動作を継続することができる期間は、「５時間未満」であることを表す第２電力量画像を表示する。制御部２６４が、「Bit (5)」及び「Bit (7)」に割り当てられた数値が「０」であり、「Bit (6)」に割り当てられた数値が「１」であることを見出すならば、画像生成部２６７は、光量調整部１６１が補助動作を継続することができる期間は、「１０時間未満」であることを表す第２電力量画像を表示する。制御部２６４が、「Bit (6)」及び「Bit (7)」に割り当てられた数値が「１」であり、「Bit (5)」に割り当てられた数値が「０」であることを見出すならば、画像生成部２６７は、光量調整部１６１が補助動作を継続することができる期間は、「１０時間以上」であることを表す第２電力量画像を表示する。表示装置２００の制御部２６４が、「Bit (5)」から「Bit (7)」に割り当てられた数値が全て「１」であることを見出すとき、表示装置２００は、蓄電量に対して「情報なし」であることを表す画像を表示してもよい。
【００９７】
表示装置２００の通信部２６６は、表示装置２００を操作するためのリモートコントローラ（図示せず）からの操作信号を受信してもよい。この場合、使用者は、第１電力量画像と第２電力量画像とを選択的に表示することができる。
【００９８】
通信部２６６は、リモートコントローラからの操作信号を制御部２６４へ出力する。操作信号が、第１電力量画像の表示を指示しているならば、制御部２６４は、画像生成部２６７に第１電力量画像のみを生成させてもよい。操作信号が、第２電力量画像の表示を指示しているならば、制御部２６４は、画像生成部２６７に第２電力量画像のみを生成させてもよい。必要に応じて、画像生成部２６７は、第１電力量画像及び第２電力量画像をともに生成してもよい。
【００９９】
（映像システムの制御方法）
図１２は、映像システム３００の制御方法の概略的なフローチャートである。図２、図４乃至図５Ｃ並びに図１２を用いて、映像システム３００の制御方法が説明される。
【０１００】
（ステップＳ１１０）
ステップＳ１１０において、眼鏡装置１００の給電制御部１７０から作動部１６０への給電が開始される。その後、ステップＳ１２０が実行される。
【０１０１】
（ステップＳ１２０）
ステップＳ１２０において、眼鏡装置１００から表示装置２００へ検索信号が送信される。検索信号を受信した表示装置２００は、眼鏡装置１００へ第１応答信号を送信する。この結果、眼鏡装置１００及び表示装置２００は、互いの通信アドレスを特定することができる。その後、ステップＳ１３０が実行される。
【０１０２】
（ステップＳ１３０）
ステップＳ１３０において、眼鏡装置１００から表示装置２００へ通知信号が送信される。この結果、表示装置２００は、眼鏡装置１００の状態を把握することができる。通知信号を受信した表示装置２００は、眼鏡装置１００へ第２応答信号を送信する。その後、ステップＳ１４０が実行される。
【０１０３】
（ステップＳ１４０）
ステップＳ１４０において、表示装置２００の制御部２６４は、充電画像及び電力量画像（第１電力量画像及び／又は第２電力量画像）のうち一方を表示することを決定する。通知信号が、眼鏡装置１００が充電中であることを表すならば、制御部２６４は、充電画像の表示を選択する。通知信号が、眼鏡装置１００が充電中でないことを表すならば、制御部２６４は、電力量画像の表示を選択する。その後、ステップＳ１５０が実行される。
【０１０４】
（ステップＳ１５０）
ステップＳ１５０において、画像生成部２６７は、制御部２６４が選択した状態画像を生成する。制御部２６４は、充電画像の表示を選択するならば、画像生成部２６７は、充電画像を生成する。制御部２６４は、電力量画像の表示を選択するならば、画像生成部２６７は、電力量画像を生成する。
【０１０５】
映像処理部２６１は、画像生成部２６７が生成した状態画像と、入力部２６０を通じて入力された映像信号に基づく映像と、を合成する。合成された映像のデータは、表示部２６３へ出力される。その後、ステップＳ１６０が実行される。
【０１０６】
（ステップＳ１６０）
ステップＳ１６０において、表示部２６３は、映像処理部２６１によって出力された映像データに従って、映像を表示する。この結果、観察者に、眼鏡装置１００の状態に関する有益な情報が伝達される。
【０１０７】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０１０８】
眼鏡装置が通知信号を送信することができるならば、眼鏡装置は、他の構成を有してもよい。また、表示装置が、通知信号に応じて、状態画像を適切に表示することができるならば、表示装置は、他の構成を有してもよい。
【０１０９】
本実施形態において、通知信号は、眼鏡装置内部での給電の開始に応じて、送信されている。代替的に、通知信号は、他のタイミングで送信されてもよい。例えば、眼鏡装置への充電が開始されたときに、通知信号が送信されてもよい。代替的に、眼鏡装置に蓄えられた電力量が変更されたときに（例えば、５０％の蓄電量が２５％の蓄電量になったときに）、通知信号が送信されてもよい。
【０１１０】
眼鏡装置と表示装置との間での同期制御に対して、他の立体映像システムに用いられている通信技術が適用されてもよい。他の立体映像システムの技術の下においても、本実施形態の原理は、好適に利用可能である。
【０１１１】
通知信号は、蓄電部情報を伝達することができるならば、他のデータ構造を有してもよい。蓄電部情報に対して、長いデータ長が割り当てられるならば、蓄電部に関する様々な情報を表示装置に伝達することができる。
【０１１２】
上述された実施形態は、以下の特徴を主に備える。
【０１１３】
上述の実施形態の一の局面に係る眼鏡装置は、観察者の左眼及び右眼への透過光量を調整し、映像を立体的に知覚させるように前記映像の観察を補助する補助動作を行う光量調整部と、前記補助動作を前記光量調整部に実行させるための電力を蓄える蓄電部と、前記蓄電部の状態を通知するための通知信号を送信する送信部と、を備え、前記通知信号は、前記蓄電部が充電中であるか否かを表す充電情報と、前記蓄電部に蓄えられている電力量を表す残量情報と、を含むことを特徴とする。
【０１１４】
上記構成によれば、光量調整部は、蓄電池が蓄えた電力を用いて、映像の観察を補助する補助動作を行う。補助動作の結果、観察者の左眼及び右眼への透過光量は、適切に調整されるので、観察者は、映像を立体的に知覚することができる。
【０１１５】
送信部は、蓄電池の状態を通知するための通知信号を送信する。通知信号は、蓄電部が充電中であるか否かを表す充電情報と、蓄電部に蓄えられている電力量を表す残量情報と、を含む。観察者にとって有益な充電情報に応じて、残量情報が利用されることが可能となるので、眼鏡装置の状態は、観察者に適切に通知される。
【０１１６】
上記構成において、前記残量情報は、前記蓄電部が蓄電することができる最大蓄電量に対する前記電力量の割合を表す第１残量情報と、前記電力量に応じて前記光量調整部が前記補助動作をすることができる期間を表す第２残量情報と、のうち少なくとも一方を表すことが好ましい。
【０１１７】
上記構成によれば、残量情報は、蓄電部が蓄電することができる最大蓄電量に対する電力量の割合を表す第１残量情報と、電力量に応じて光量調整部が補助動作をすることができる期間を表す第２残量情報と、のうち少なくとも一方を表す。第１残量情報が使用されるならば、観察者は、眼鏡装置が蓄えている電力量を直感的に把握することができる。第２残量情報が使用されるならば、観察者は眼鏡装置の稼動時間を適切に把握することができる。したがって、眼鏡装置の状態は、観察者に適切に通知される。
【０１１８】
上述の実施形態の他の局面に係る表示装置は、映像を立体的に知覚させるように前記映像の観察を補助する補助動作を行う眼鏡装置の状態を通知するための通知信号を受信する受信部と、該受信部が受信した前記通知信号に応じて、前記眼鏡装置の前記状態を表す状態画像を生成する画像生成部と、前記状態画像を表示するための表示部と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記画像生成部は、前記眼鏡装置に蓄えられている電力量を表すための電力量画像を、前記状態画像として、生成することを特徴とする。
【０１１９】
上記構成によれば、受信部は、映像を立体的に知覚させるように映像の観察を補助する補助動作を行う眼鏡装置の状態を通知するための通知信号を受信する。画像生成部は、受信部が受信した通知信号に応じて、眼鏡装置の状態を表す状態画像を生成する。表示部は、状態画像を表示するので、観察者は、眼鏡装置の状態を適切に把握することができる。
【０１２０】
通知信号は、眼鏡装置が充電中であるか否かを表す充電情報と、眼鏡装置に蓄えられている電力量を表す残量情報と、を含む。充電情報が、眼鏡装置が充電中でないことを表すならば、画像生成部は、眼鏡装置に蓄えられている電力量を表すための電力量画像を、状態画像として、生成する。蓄電部が充電中でないならば、残量情報は、観察者にとって有益であるので、眼鏡装置の状態に関する適切な情報が観察者に通知される。
【０１２１】
上記構成において、前記画像生成部が、前記電力量画像を生成するならば、前記表示部は、前記眼鏡装置が蓄電することができる最大蓄電量に対する前記電力量の割合を表す第１電力量画像と、前記電力量に応じて前記眼鏡装置が前記補助動作を行うことができる期間を表す第２電力量画像と、のうち少なくとも一方を、前記電力量画像として、表示することが好ましい。
【０１２２】
上記構成によれば、画像生成部が、電力量画像を生成するならば、表示部は、眼鏡装置が蓄電することができる最大蓄電量に対する電力量の割合を表す第１電力量画像と、電力量に応じて眼鏡装置が補助動作を行うことができる期間を表す第２電力量画像と、のうち少なくとも一方を、電力量画像として、表示する。第１電力量画像が表示されるならば、観察者は、眼鏡装置が蓄えている電力量を直感的に把握することができる。第２電力量画像が表示されるならば、観察者は眼鏡装置の稼動時間を適切に把握することができる。したがって、眼鏡装置の状態は、観察者に適切に通知される。
【０１２３】
上記構成において、前記充電情報が、前記眼鏡装置が充電中であることを表すならば、前記画像生成部は、前記眼鏡装置が充電中であることを表す充電画像を、前記状態画像として、生成することが好ましい。
【０１２４】
上記構成によれば、充電情報が、眼鏡装置が充電中であることを表すならば、画像生成部は、眼鏡装置が充電中であることを表す充電画像を、状態画像として、生成するので、観察者は、眼鏡装置に対する充電が行われていることを適切に把握することができる。
【０１２５】
上述の実施形態の他の局面に係る映像システムは、観察者に立体的に知覚される映像を表示する表示装置と、前記映像を立体的に知覚させるように前記映像の観察を補助する補助動作を行う眼鏡装置と、を備え、該眼鏡装置は、前記観察者の左眼及び右眼への透過光量を調整し、前記補助動作を行う光量調整部と、前記補助動作を前記光量調整部に実行させるための電力を蓄える蓄電部と、前記蓄電部の状態を通知するための通知信号を送信する送信部と、を含み、前記通知信号は、前記蓄電部が充電中であるか否かを表す充電情報と、前記蓄電部に蓄えられている電力量を表す残量情報と、を含み、前記表示装置は、前記通知信号を受信する受信部と、該受信部が受信した前記通知信号に応じて、前記蓄電部の前記状態を表す状態画像を生成する画像生成部と、前記状態画像を表示するための表示部と、を含み、前記充電情報が、前記蓄電部が充電中でないことを表すならば、前記画像生成部は、前記蓄電部に蓄えられている電力量を表すための電力量画像を、前記状態画像として、生成することを特徴とする。
【０１２６】
上記構成によれば、表示装置は、観察者に立体的に知覚される映像を表示する。眼鏡装置は、映像を立体的に知覚させるように映像の観察を補助する補助動作を行う。したがって、観察者は、眼鏡装置を通じて、立体映像を適切に観察することができる。
【０１２７】
光量調整部は、蓄電池が蓄えた電力を用いて、映像の観察を補助する補助動作を行う。補助動作の結果、観察者の左眼及び右眼への透過光量は、適切に調整されるので、観察者は、映像を立体的に知覚することができる。
【０１２８】
眼鏡装置の送信部は、蓄電池の状態を通知するための通知信号を送信する。表示装置の受信部は、通知信号を受信する。画像生成部は、受信部が受信した通知信号に応じて、眼鏡装置の状態を表す状態画像を生成する。表示部は、状態画像を表示するので、観察者は、眼鏡装置の状態を適切に把握することができる。
【０１２９】
通知信号は、眼鏡装置が充電中であるか否かを表す充電情報と、眼鏡装置に蓄えられている電力量を表す残量情報と、を含む。充電情報が、眼鏡装置が充電中でないことを表すならば、画像生成部は、眼鏡装置に蓄えられている電力量を表すための電力量画像を、状態画像として、生成する。蓄電部が充電中でないならば、残量情報は、観察者にとって有益であるので、眼鏡装置の状態に関する適切な情報が観察者に通知される。
【０１３０】
上述の実施形態の他の局面に係る映像システムの制御方法は、立体的に知覚される映像を表示する表示装置と、前記映像の観察を補助する補助動作を行う眼鏡装置と、の間で、前記眼鏡装置の状態を通知するための通知信号を通信する段階と、前記通知信号に応じて、前記眼鏡装置の前記状態を表す状態画像を前記表示装置に生成及び表示させる段階と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記表示装置は、前記眼鏡装置に蓄えられている電力量を表すための電力量画像を、前記状態画像として、生成及び表示することを特徴とする。
【０１３１】
上記構成によれば、眼鏡装置の状態を通知するための通知信号は、立体的に知覚される映像を表示する表示装置と、映像の観察を補助する補助動作を行う眼鏡装置と、の間で、通信される。この結果、表示装置は、眼鏡装置の状態を表す状態画像を生成及び表示する。通知信号は、眼鏡装置が充電中であるか否かを表す充電情報と、眼鏡装置に蓄えられている電力量を表す残量情報と、を含む。充電情報が、眼鏡装置が充電中でないことを表すならば、表示装置は、眼鏡装置に蓄えられている電力量を表すための電力量画像を、状態画像として、生成する。蓄電部が充電中でないならば、残量情報は、観察者にとって有益であるので、眼鏡装置の状態に関する適切な情報が観察者に通知される。
【産業上の利用可能性】
【０１３２】
上述の実施形態の原理は、眼鏡装置の補助下で映像を観察させる映像技術に好適に利用される。
【図１】
2012124343.tif 000003
【図２】
2012124343.tif 000004
【図３】
2012124343.tif 000005
【図４】
2012124343.tif 000006
【図５Ａ】
2012124343.tif 000007
【図５Ｂ】
2012124343.tif 000008
【図５Ｃ】
2012124343.tif 000009
【図６】
2012124343.tif 000010
【図７】
2012124343.tif 000011
【図８】
2012124343.tif 000012
【図９】
2012124343.tif 000013
【図１０】
2012124343.tif 000014
【図１１Ａ】
2012124343.tif 000015
【図１１Ｂ】
2012124343.tif 000016
【図１２】
2012124343.tif 000017
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
観察者の左眼及び右眼への透過光量を調整し、映像を立体的に知覚させるように前記映像の観察を補助する補助動作を行う光量調整部と、
前記補助動作を前記光量調整部に実行させるための電力を蓄える蓄電部と、
前記蓄電部の状態を通知するための通知信号を送信する送信部と、を備え、
前記通知信号は、前記蓄電部が充電中であるか否かを表す充電情報と、前記蓄電部に蓄えられている電力量を表す残量情報と、を含むことを特徴とする眼鏡装置。
【請求項２】
前記残量情報は、前記蓄電部が蓄電することができる最大蓄電量に対する前記電力量の割合を表す第１残量情報と、前記電力量に応じて前記光量調整部が前記補助動作をすることができる期間を表す第２残量情報と、のうち少なくとも一方を表すことを特徴とする請求項１に記載の眼鏡装置。
【請求項３】
映像を立体的に知覚させるように前記映像の観察を補助する補助動作を行う眼鏡装置の状態を通知するための通知信号を受信する受信部と、
該受信部が受信した前記通知信号に応じて、前記眼鏡装置の前記状態を表す状態画像を生成する画像生成部と、
前記状態画像を表示するための表示部と、を備え、
前記通知信号は、前記眼鏡装置が充電中であるか否かを表す充電情報と、前記眼鏡装置に蓄えられている電力量を表す残量情報と、を含み、
前記充電情報が、前記眼鏡装置が充電中でないことを表すならば、前記画像生成部は、前記眼鏡装置に蓄えられている電力量を表すための電力量画像を、前記状態画像として、生成することを特徴とする表示装置。
【請求項４】
前記画像生成部が、前記電力量画像を生成するならば、前記表示部は、前記眼鏡装置が蓄電することができる最大蓄電量に対する前記電力量の割合を表す第１電力量画像と、前記電力量に応じて前記眼鏡装置が前記補助動作を行うことができる期間を表す第２電力量画像と、のうち少なくとも一方を、前記電力量画像として、表示することを特徴とする請求項３に記載の表示装置。
【請求項５】
前記充電情報が、前記眼鏡装置が充電中であることを表すならば、前記画像生成部は、前記眼鏡装置が充電中であることを表す充電画像を、前記状態画像として、生成することを特徴とする請求項３に記載の表示装置。
【請求項６】
観察者に立体的に知覚される映像を表示する表示装置と、
前記映像を立体的に知覚させるように前記映像の観察を補助する補助動作を行う眼鏡装置と、を備え、
該眼鏡装置は、
前記観察者の左眼及び右眼への透過光量を調整し、前記補助動作を行う光量調整部と、
前記補助動作を前記光量調整部に実行させるための電力を蓄える蓄電部と、
前記蓄電部の状態を通知するための通知信号を送信する送信部と、を含み、
前記通知信号は、前記蓄電部が充電中であるか否かを表す充電情報と、前記蓄電部に蓄えられている電力量を表す残量情報と、を含み、
前記表示装置は、
前記通知信号を受信する受信部と、
該受信部が受信した前記通知信号に応じて、前記蓄電部の前記状態を表す状態画像を生成する画像生成部と、
前記状態画像を表示するための表示部と、を含み、
前記充電情報が、前記蓄電部が充電中でないことを表すならば、前記画像生成部は、前記蓄電部に蓄えられている電力量を表すための電力量画像を、前記状態画像として、生成することを特徴とする映像システム。
【請求項７】
立体的に知覚される映像を表示する表示装置と、前記映像の観察を補助する補助動作を行う眼鏡装置と、の間で、前記眼鏡装置の状態を通知するための通知信号を通信する段階と、
前記通知信号に応じて、前記眼鏡装置の前記状態を表す状態画像を前記表示装置に生成及び表示させる段階と、を備え、
前記通知信号は、前記眼鏡装置が充電中であるか否かを表す充電情報と、前記眼鏡装置に蓄えられている電力量を表す残量情報と、を含み、
前記充電情報が、前記眼鏡装置が充電中でないことを表すならば、前記表示装置は、前記眼鏡装置に蓄えられている電力量を表すための電力量画像を、前記状態画像として、生成及び表示することを特徴とする映像システムの制御方法。
【手続補正２】
【補正対象書類名】明細書
【補正対象項目名】全文
【補正方法】変更
【補正の内容】
【発明の詳細な説明】
【技術分野】
【０００１】
本発明は、立体映像を観察者に適切に観察させるための映像技術に関する。
【背景技術】
【０００２】
立体映像を観察させるための映像システムは、広く普及している。映像システムは、典型的には、左眼で観察される左フレーム画像と右眼で観察される右フレーム画像とを交互に表示する表示装置と、左フレーム画像を左眼で観察させ、右フレーム画像を右眼で観察させるための補助動作を行う眼鏡装置と、を備える（特許文献１乃至３を参照）。補助動作の結果、観察者は、左眼のみで左フレーム画像を観察し、右眼のみで右フレーム画像を観察することとなる。左フレーム画像に描かれるオブジェクトと右フレーム画像に描かれるオブジェクトとの間には、例えば、位置的な差異が設けられるので、観察者は、表示装置が表示する映像を立体的に知覚することができる。
【０００３】
眼鏡装置の補助動作は、典型的には、電力に依存する。このため、眼鏡装置内には、電池といった蓄電部が組み込まれる。蓄電部が十分に電力を蓄えている間、眼鏡装置は、適切な補助動作を行うことができる。一方、蓄電部内の電力が不十分ならば、眼鏡装置の補助動作は、表示装置による左フレーム画像と右フレーム画像との間の切替動作に適切に同期しない。
【０００４】
上述の特許文献１は、眼鏡装置に蓄えられた電力量を観察者に通知するための技術を開示する。特許文献１の開示によれば、表示装置は、眼鏡装置に蓄えられた電力量を表す情報画像を表示する。観察者は、表示装置に表示された情報画像に応じて、映像の観察を続行したり、眼鏡装置の電池を交換したりする。
【０００５】
眼鏡装置内の蓄電量の変動が少ないならば、表示装置が表示する情報画像は、観察者にとって有益である。しかしながら、蓄電量が短期間に大幅に変動するならば、表示装置が表示する情報画像は、観察者にとってあまり役に立たない。むしろ、情報画像は、表示装置が表示するコンテンツ（例えば、映画）の画像に重なることもあるので、映像の観察の妨げとなることもある。
【先行技術文献】
【特許文献】
【０００６】
【特許文献１】米国特許公開公報第２０１１／０２４８８５９号明細書
【特許文献２】米国特許公開公報第２０１１／０２４２２９０号明細書
【特許文献３】米国特許公開公報第２０１１／０２２８０５６号明細書
【発明の概要】
【発明が解決しようとする課題】
【０００７】
本発明は、眼鏡装置の状態を観察者に適切に通知することができる映像技術を提供することを目的とする。
【課題を解決するための手段】
【０００８】
本発明の一局面に係る眼鏡装置は、観察者の左眼及び右眼への透過光量を調整し、映像を立体的に知覚させるように前記映像の観察を補助する補助動作を行う光量調整部と、前記補助動作を前記光量調整部に実行させるための電力を蓄える蓄電部と、前記蓄電部の状態を通知するための通知信号を送信する送信部と、を備え、前記通知信号は、前記蓄電部が充電中であるか否かを表す充電情報と、前記蓄電部に蓄えられている電力量を表す残量情報と、を含むことを特徴とする。
【０００９】
本発明の他の局面に係る表示装置は、映像を立体的に知覚させるように前記映像の観察を補助する補助動作を行う眼鏡装置の状態を通知するための通知信号を受信する受信部と、該受信部が受信した前記通知信号に応じて、前記眼鏡装置の前記状態を表す状態画像を生成する画像生成部と、前記状態画像を表示するための表示部と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記画像生成部は、前記眼鏡装置に蓄えられている電力量を表すための電力量画像を、前記状態画像として、生成することを特徴とする。
【００１０】
本発明の更に他の局面に係る映像システムは、観察者に立体的に知覚される映像を表示する表示装置と、前記映像を立体的に知覚させるように前記映像の観察を補助する補助動作を行う眼鏡装置と、を備え、該眼鏡装置は、前記観察者の左眼及び右眼への透過光量を調整し、前記補助動作を行う光量調整部と、前記補助動作を前記光量調整部に実行させるための電力を蓄える蓄電部と、前記蓄電部の状態を通知するための通知信号を送信する送信部と、を含み、前記通知信号は、前記蓄電部が充電中であるか否かを表す充電情報と、前記蓄電部に蓄えられている電力量を表す残量情報と、を含み、前記表示装置は、前記通知信号を受信する受信部と、該受信部が受信した前記通知信号に応じて、前記蓄電部の前記状態を表す状態画像を生成する画像生成部と、前記状態画像を表示するための表示部と、を含み、前記充電情報が、前記蓄電部が充電中でないことを表すならば、前記画像生成部は、前記蓄電部に蓄えられている電力量を表すための電力量画像を、前記状態画像として、生成することを特徴とする。
【００１１】
本発明の更に他の局面に係る映像システムの制御方法は、立体的に知覚される映像を表示する表示装置と、前記映像の観察を補助する補助動作を行う眼鏡装置と、の間で、前記眼鏡装置の状態を通知するための通知信号を通信する段階と、前記通知信号に応じて、前記眼鏡装置の前記状態を表す状態画像を前記表示装置に生成及び表示させる段階と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記表示装置は、前記眼鏡装置に蓄えられている電力量を表すための電力量画像を、前記状態画像として、生成及び表示することを特徴とする。
【発明の効果】
【００１２】
本発明は、眼鏡装置の状態を観察者に適切に通知することができる。
【００１３】
本発明の目的、特徴及び利点は、以下の詳細な説明と添付図面とによって、より明白となる。
【図面の簡単な説明】
【００１４】
【図１】例示的な眼鏡装置の概略的な斜視図である。
【図２】図１に示される眼鏡装置の機能構成を表す概略的なブロック図である。
【図３】例示的な表示装置の概略図である。
【図４】図３に示される表示装置の機能構成を表す概略的なブロック図である。
【図５Ａ】例示的な映像システムの概略図である。
【図５Ｂ】図５Ａに示される映像システムの概略図である。
【図５Ｃ】図５Ｂに示される映像システムの概略図である。
【図６】図２に示される眼鏡装置の光量調整部の動作を表す概略的なタイミングチャートである。
【図７】眼鏡装置と表示装置との間の通信を概略的に表すチャートである。
【図８】通知信号に用いられるパケット構造のペイロード部の構造の概略図である。
【図９】情報Ｅに対して割り当てられたデータ区画内のデータ構造の概略図である。
【図１０】充電情報の表現パターンを例示する表である。
【図１１Ａ】第１残量情報の表現パターンを例示する表である。
【図１１Ｂ】第２残量情報の表現パターンを例示する表である。
【図１２】図５Ａ乃至図５Ｃに示される映像システムの制御方法の概略的なフローチャートである。
【発明を実施するための形態】
【００１５】
例示的な映像技術が、添付の図面を参照して説明される。尚、図面に示される構成、配置或いは形状等並びに図面に関連する記載は、映像技術の原理を容易に理解させることを目的とする。したがって、映像技術の原理は、以下の詳細な説明に何ら限定するものではない。
【００１６】
（眼鏡装置）
図１は、眼鏡装置１００の概略的な斜視図である。図１を用いて、眼鏡装置１００が説明される。
【００１７】
眼鏡装置１００は、観察者の左眼及び右眼へ透過する光量を調整するシャッタ部１１０を備える。シャッタ部１１０は、観察者の左眼前に配置される左シャッタ１１１と、右眼前に配置される右シャッタ１１２と、を含む。
【００１８】
表示装置（後述される）が、左眼で観察される左フレーム画像を表示している間、左シャッタ１１１が開く一方で、右シャッタ１１２は閉じる。この結果、左眼へ到達する映像光の量は大きくなる一方で、右眼へ到達する映像光の量は小さくなる。かくして、観察者は、左眼で左フレーム画像を観察することとなる。
【００１９】
表示装置が、右眼で観察される右フレーム画像を表示している間、左シャッタ１１１が閉じる一方で、右シャッタ１１２は開く。この結果、左眼へ到達する映像光の量は小さくなる一方で、右眼へ到達する映像光の量は大きくなる。かくして、観察者は、右眼で右フレーム画像を観察することとなる。
【００２０】
表示装置が、例えば、左フレーム画像と右フレーム画像とを交互に表示し、且つ、左シャッタ１１１及び右シャッタ１１２が、上述の如く、左フレーム画像及び右フレーム画像に同期して、開閉するならば、観察者は、左フレーム画像と右フレーム画像とを脳内で合成する。左フレーム画像に描かれるオブジェクトと右フレーム画像に描かれるオブジェクトとの間には、位置的な差異が設けられているので、観察者は、位置的な差異量の分だけ、映像が表示される表示面からオブジェクトが飛び出したように、或いは、表示面からオブジェクトが引っ込んだように知覚することができる（即ち、観察者は、表示装置が表示する映像を立体的に知覚する）。本実施形態において、左フレーム画像及び右フレーム画像の表示に同期した左シャッタ１１１及び右シャッタ１１２の開閉動作は、立体映像の観察を補助するので、補助動作として例示される。また、シャッタ部１１０は、左シャッタ１１１及び右シャッタ１１２を用いて、左眼及び右眼への透過光量を調整するので、光量調整部として例示される。
【００２１】
眼鏡装置１００は、シャッタ部１１０を支持するフレーム部１２１と、フレーム部１２１から観察者の耳へ向けて延びるアーム部１２２と、を備える。したがって、観察者は、一般的な視力矯正用の眼鏡と同様に、眼鏡装置１００を着用することができる。この結果、左シャッタ１１１は、左眼前に配置され、且つ、右シャッタ１１２は、右眼前に配置される。
【００２２】
眼鏡装置１００は、シャッタ部１１０への給電を制御するためのスイッチ素子１３０を更に備える。観察者がスイッチ素子１３０を「オン位置」に設定するならば、眼鏡装置１００内の様々な要素（後述される）への給電が開始される。観察者がスイッチ素子１３０を「オフ位置」に設定するならば、眼鏡装置１００内の様々な要素への給電は停止される。したがって、観察者は、スイッチ素子１３０を用いて、不必要な電力消費を防止することができる。
【００２３】
眼鏡装置１００は、充電用のプラグポート１４０を更に備える。観察者は、電源（図示せず）に接続された電力ケーブルのプラグ（図示せず）を、プラグポート１４０に差し込み、眼鏡装置１００を充電することができる。尚、眼鏡装置１００への充電は、電力ケーブルを用いることなく行われてもよい。例えば、眼鏡装置１００は、ワイヤレス方式で充電されてもよい。
【００２４】
眼鏡装置１００は、表示装置と通信するための通信素子１５０を更に備える。通信素子１５０は、例えば、眼鏡装置１００の状態を通知するための通知信号を送信するために用いられる。表示装置は、通知信号に応じて、眼鏡装置１００の状態を表す状態画像を生成及び表示する。この結果、観察者は、眼鏡装置１００の状態を、視覚的に把握することができる。本実施形態において、通信素子１５０は、送信部として例示される。
【００２５】
加えて、通信素子１５０は、表示装置から同期制御信号を受信するために用いられる。同期制御信号の適切な受信下において、左シャッタ１１１は、左フレーム画像の表示に同期して開き、右フレーム画像の表示に同期して閉じる。また、右シャッタ１１２は、右フレーム画像の表示に同期して開き、左フレーム画像の表示に同期して閉じる。
【００２６】
必要に応じて、通信素子１５０は、対象となる表示装置を特定するためのペアリング操作のために利用されてもよい。上述の様々な通信動作は、後述される。
【００２７】
図２は、眼鏡装置１００の機能構成を表す概略的なブロック図である。図１及び図２を用いて、眼鏡装置１００が更に説明される。
【００２８】
眼鏡装置１００は、上述の補助動作や表示装置との通信を司る作動部１６０と、作動部１６０への給電を制御するための給電制御部１７０と、を備える。
【００２９】
給電制御部１７０は、補助動作や表示装置との通信に用いられる電力を蓄える蓄電部１７１を備える。蓄電部１７１は、図１を参照して説明されたプラグポート１４０及び外部からの電力を蓄えることができる蓄電素子（図示せず）を含んでもよい。
【００３０】
給電制御部１７０は、作動部１６０へ給電する給電動作と給電動作を停止する停止動作との間で給電モードを切り替えるための給電切替部１７２を更に備える。給電切替部１７２は、図１を参照して説明されたスイッチ素子１３０及びスイッチ素子１３０に対する操作に応じて配線を切り替えるスイッチング回路（図示せず）を含んでもよい。観察者がスイッチ素子１３０をオン位置に設定するならば、給電切替部１７２は、給電動作を実行する。観察者がスイッチ素子１３０をオフ位置に設定するならば、給電切替部１７２は、停止動作を実行する。したがって、観察者は、スイッチ素子１３０の操作を行い、給電切替部１７２による給電モードの切替を適切に行うことができる。この結果、作動部１６０への不必要な電力供給が防止される。
【００３１】
給電制御部１７０は、蓄電部１７１に蓄えられている電力量及び／又は電力量の変動を検出する検出部１７３を更に備える。検出部１７３は、蓄電部１７１に蓄えられている電力量及び／又は電力量の変動を表すデータ信号を出力する。
【００３２】
作動部１６０は、映像を立体的に知覚させるように映像の観察を補助する補助動作を行う光量調整部１６１を備える。光量調整部１６１は、蓄電部１７１が蓄えた電力を用いて、補助動作を実行する。光量調整部１６１は、図１を参照して説明されたシャッタ部１１０に加えて、左シャッタ１１１及び右シャッタ１１２を駆動するための駆動回路を含んでもよい。
【００３３】
光量調整部１６１は、左眼へ透過する映像光の量を調整する左調整部１６２と、右眼へ透過する映像光の量を調整する右調整部１６３と、を含む。左調整部１６２は、図１を参照して説明された左シャッタ１１１に相当する。したがって、左シャッタ１１１が開くことは、左調整部１６２が左眼への透過光量を増大させていることを意味する。左シャッタ１１１が閉じることは、左調整部１６２が左眼への透過光量を減少させていることを意味する。右調整部１６３は、図１を参照して説明された右シャッタ１１２に相当する。したがって、右シャッタ１１２が開くことは、右調整部１６３が右眼への透過光量を増大させていることを意味する。右シャッタ１１２が閉じることは、右調整部１６３が右眼への透過光量を減少させていることを意味する。
【００３４】
作動部１６０は、表示装置へ送信される様々な信号を生成する信号生成部１６４を更に備える。信号生成部１６４は、給電切替部１７２が給電動作を開始すると、通信可能な或いは対象となる表示装置を特定するための検索信号を生成する。
【００３５】
給電切替部１７２が給電動作を実行している間、信号生成部１６４は、検出部１７３が出力したデータ信号を受け取ることができる。信号生成部１６４は、データ信号に応じて、蓄電部１７１の状態を判定することができる。データ信号が、例えば、蓄電部１７１内の電力量の増加を表すならば、信号生成部１６４は、蓄電部１７１が充電中であると判定することができる。他の場合において、信号生成部１６４は、データ信号に応じて、蓄電部１７１に蓄えられている電力量を判定することができる。信号生成部１６４は、データ信号に応じて、蓄電部１７１が充電中であるか否かを表す充電情報と、蓄電部１７１に蓄えられている電力量を表す残量情報と、を含む通知信号を生成並びに出力する。
【００３６】
作動部１６０は、眼鏡装置１００と表示装置との間で様々な通信を行うための通信部１６５を更に備える。通信部１６５は、給電切替部１７２の給電動作の開始に応じて信号生成部１６４が生成した検索信号を送信する。検索信号には、例えば、眼鏡装置１００の通信アドレスに関する情報が含まれている。その後、検索信号が表示装置によって受信されるならば、表示装置は、検索信号が含む通信アドレスに向けて、応答信号を送信する。応答信号には、例えば、表示装置の通信アドレスに関する情報が含まれている。検索信号及び応答信号の送受信の結果、眼鏡装置１００及び表示装置は、互いを認識することができる。本実施形態において、通信部１６５は、図１に関連して説明された通信素子１５０に加えて、表示装置の通信アドレスを記憶する記憶素子を備えてもよい。
【００３７】
通信部１６５は、その後、信号生成部１６４によって生成された通知信号を、認識された表示装置の通信アドレスに送信する。この結果、表示装置に蓄電部１７１の状態が通知される。上述の如く、通知信号は、充電情報を含むので、表示装置は、蓄電部１７１が充電中であるか否かを判定することができる。また、通知信号は、残量情報を含むので、表示装置は、蓄電部１７１に蓄えられている電力量を判定することができる。本実施形態において、通信部１６５は、送信部として例示される。
【００３８】
通信部１６５は、表示装置から送信された同期制御信号を受信することができる。通信部１６５は、例えば、同期制御信号からノイズを除去するフィルタリング処理を行なってもよい。
【００３９】
作動部１６０は、光量調整部１６１を制御する動作制御部１６６を更に備える。通信部１６５は、同期制御信号を動作制御部１６６に出力する。動作制御部１６６は、同期制御信号に応じて、左調整部１６２及び右調整部１６３による光量の調整動作のタイミングを制御する。この結果、表示装置が左フレーム画像を表示している間、左調整部１６２は、左眼への透過光量を増大させる一方で、右調整部１６３は、右眼への透過光量を低減させる。表示装置が右フレーム画像を表示している間、左調整部１６２は、左眼への透過光量を低減させる一方で、右調整部１６３は、右眼への透過光量を増大させる。
【００４０】
動作制御部１６６は、信号生成部１６４を制御する。上述の検索信号が送信された後、通信部１６５が所定期間、応答信号を受信しないならば、通信部１６５は、応答信号の不受信を動作制御部１６６に通知してもよい。この場合、信号生成部１６４は、動作制御部１６６の制御下で、再度、検索信号を生成する。したがって、眼鏡装置１００は、表示装置からの応答を受けるまで、繰り返し、検索信号を送信することができる。
【００４１】
（表示装置）
図３は、表示装置２００の概略図である。図１及び図３を用いて、表示装置２００が説明される。
【００４２】
表示装置２００は、映像を表示するディスプレイパネル２１０と、眼鏡装置１００と様々な信号を通信する通信素子２５０と、を備える。
【００４３】
ディスプレイパネル２１０は、左フレーム画像と右フレーム画像とを交互に表示する。眼鏡装置１００は、左フレーム画像及び右フレーム画像の表示に同期した補助動作を行うので、観察者は、ディスプレイパネル２１０に表示される映像を立体的に知覚することができる。
【００４４】
通信素子２５０は、眼鏡装置１００から送信された検索信号を受信する。その後、通信素子２５０は、眼鏡装置１００へ応答信号を送信する。検索信号及び応答信号の送受信の結果、眼鏡装置１００及び表示装置２００は、互いを認識することができる。
【００４５】
通信素子２５０は、眼鏡装置１００から送信された通知信号を受信する。通信素子２５０が通知信号を受信するならば、ディスプレイパネル２１０は、眼鏡装置１００の状態を表現する状態画像を表示する。図３において、状態画像が表示される領域ＳＳが、ディスプレイパネル２１０中に点線で表されている。ディスプレイパネル２１０は、左フレーム画像又は右フレーム画像に、状態画像を組み込んで、映像を表示する。したがって、観察者は、立体映像を観察しながら、眼鏡装置１００の状態を確認することができる。本実施形態において、通信素子２５０は、受信部として例示される。ディスプレイパネル２１０は、表示部として例示される。
【００４６】
通信素子２５０は、眼鏡装置１００へ同期制御信号を送信する。同期制御信号を受信した眼鏡装置１００のシャッタ部１１０は、ディスプレイパネル２１０が表示する左フレーム画像及び右フレーム画像の表示に同期した補助動作を実行する。
【００４７】
図４は、表示装置２００の機能構成を表す概略的なブロック図である。図２乃至図４を用いて、表示装置２００が更に説明される。
【００４８】
表示装置２００は、映像信号が入力される入力部２６０を備える。入力部２６０は、符号化された映像信号が入力される入力ポートや入力された映像信号を復号化する復号化回路を含んでもよい。入力部２６０は、復号化された映像信号を映像処理部２６１へ出力することができる。
【００４９】
表示装置２００は、映像信号を処理し、画像データを作り出す映像処理部２６１を更に備える。入力部２６０は、映像処理部２６１に映像信号を出力する。映像処理部２６１は、映像信号を用いて、左フレーム画像及び右フレーム画像のデータを生成する。
【００５０】
表示装置２００は、左フレーム画像及び右フレーム画像を交互に表示する表示部２６３を更に備える。映像処理部２６１は、左フレーム画像に対応するデータと右フレーム画像に対応するデータとを交互に表示部２６３に出力する。この結果、表示部２６３は、左フレーム画像と右フレーム画像とを交互に表示することができる。本実施形態において、表示部２６３は、図３を参照して説明されたディスプレイパネル２１０に相当する。
【００５１】
表示装置２００は、映像処理部２６１を制御する制御部２６４を更に備える。映像処理部２６１は、制御部２６４の制御下で、左フレーム画像及び右フレーム画像のデータを生成並びに出力する。
【００５２】
表示装置２００は、映像処理部２６１による左フレーム画像及び右フレーム画像のデータの出力に同期して、同期制御信号を生成する信号生成部２６５を更に備える。信号生成部２６５も、制御部２６４の制御下で、同期制御信号を生成するので、左フレーム画像及び右フレーム画像のデータの出力に対して、同期制御信号の生成は適切に同期することとなる。
【００５３】
表示装置２００は、同期制御信号を眼鏡装置１００へ送信する通信部２６６を更に備える。上述の如く、信号生成部２６５は、映像処理部２６１による左フレーム画像及び右フレーム画像のデータの出力に同期して、同期制御信号を生成するので、通信部２６６は、表示部２６３による左フレーム画像及び右フレーム画像の表示に同期して、眼鏡装置１００へ同期制御信号を出力することができる。本実施形態において、通信部２６６は、図３を参照して説明された通信素子２５０に対応する。
【００５４】
通信部２６６は、眼鏡装置１００から送信された検索信号を受信することができる。通信部２６６は、通信素子２５０に加えて、検索信号に含まれる通信アドレスを記憶するための記憶素子を含んでもよい。通信部２６６は、検索信号の受信に応じて、眼鏡装置１００の通信アドレスを記憶することができる。
【００５５】
検索信号を受信した通信部２６６は、制御部２６４へ検索信号の受信を通知する。検索信号の受信が通知された制御部２６４は、信号生成部２６５に応答信号を生成させる。信号生成部２６５は、表示装置２００の通信アドレスに関する情報を含むように、応答信号を生成する。生成された応答信号は、その後、通信部２６６に出力される。通信部２６６は、記憶された眼鏡装置１００の通信アドレスに向けて、応答信号を送信する。この結果、表示装置２００及び眼鏡装置１００は、互いを認識することができる。
【００５６】
通信部２６６は、眼鏡装置１００から送信された通知信号を受信することができる。通信部２６６は、制御部２６４へ通知信号を出力する。制御部２６４は、通知信号の内容を解釈する。上述の如く、眼鏡装置１００から送信された通知信号は、充電情報を含む。したがって、制御部２６４は、蓄電部１７１が充電中であるか否かを判定することができる。また、通知信号は、残量情報も含む。したがって、制御部２６４は、蓄電部１７１に充電されている電力量を判定することができる。本実施形態において、通信部２６６は、受信部として例示される。
【００５７】
表示装置２００は、制御部２６４による通知信号に対する解釈結果に応じて（即ち、通信部２６６が受信した通知信号に応じて）、状態画像を生成する画像生成部２６７を更に備える。制御部２６４が、蓄電部１７１が充電中でないと判定するならば（即ち、通知信号が、蓄電部１７１が充電中でないとの情報を含むならば）、画像生成部２６７は、制御部２６４の制御下で、眼鏡装置１００に蓄えられている電力量を表すための電力量画像を、状態画像として生成する。制御部２６４が、蓄電部１７１が充電中であると判定するならば（即ち、通知信号が、蓄電部１７１が充電中であるとの情報を含むならば）、画像生成部２６７は、制御部２６４の制御下で、眼鏡装置１００が充電中であることを表す充電画像を生成する。
【００５８】
画像生成部２６７は、生成された状態画像のデータを映像処理部２６１へ出力する。映像処理部２６１は、映像信号に基づく左フレーム画像及び／又は右フレーム画像に状態画像を組み込む。映像処理部２６１は、状態画像が組み込まれた左フレーム画像及び／又は右フレーム画像のデータを、その後、表示部２６３へ出力する。図３を参照して説明された如く、表示部２６３として例示されるディスプレイパネル２１０の領域ＳＳに、状態画像が表示される。この結果、観察者は、映像信号に基づく映像を観察しながら、眼鏡装置１００の状態を確認することができる。
【００５９】
眼鏡装置１００が充電されているか否かの情報は、眼鏡装置１００を充電するための動作を行った観察者にとって有益である。したがって、眼鏡装置１００が充電されている間に、充電画像が領域ＳＳに表示されていることは、観察者にとって有益である。
【００６０】
眼鏡装置１００が充電されていないならば、眼鏡装置１００の蓄電量の不足は、映像の観察を阻害する。したがって、眼鏡装置１００が蓄えている電力量に関する情報は、観察者にとって、有益である。したがって、眼鏡装置１００が充電されていない間に、電力量画像が領域ＳＳに表示されていることは、観察者にとって有益である。
【００６１】
（映像システムの通信動作）
図５Ａは、映像システム３００の概略図である。図２、図４及び図５Ａを用いて、映像システム３００の通信動作が説明される。
【００６２】
映像システム３００は、眼鏡装置１００及び表示装置２００を備える。図２を参照して説明された如く、眼鏡装置１００の給電制御部１７０が作動部１６０への給電動作を開始すると、眼鏡装置１００から検索信号が送信される。上述の如く、検索信号には、好ましくは、眼鏡装置１００の通信アドレスに関する情報が含まれている。表示装置２００が、検索信号の送信範囲に存在するならば、表示装置２００は、応答信号（以下、検索信号に対応する応答信号は、「第１応答信号」と称される）を検索信号が含む通信アドレスに向けて送信する。第１応答信号は、表示装置２００の通信アドレスに関する情報を含む。眼鏡装置１００が第１応答信号を受信するならば、眼鏡装置１００は、表示装置２００の通信アドレスに関する情報を取得することができる。
【００６３】
眼鏡装置１００が第１応答信号を、検索信号の送信から所定期間、受信しないならば、眼鏡装置１００の通信部１６５は、動作制御部１６６に、第１応答信号の不受信を通知する。この結果、動作制御部１６６は、信号生成部１６４に、再度、検索信号を生成させてもよい。この結果、第１応答信号の受信があるまで、眼鏡装置１００は、検索信号を繰り返し送信することができる。
【００６４】
図５Ｂは、映像システム３００の概略図である。図２、図４乃至図５Ｂを用いて、映像システム３００の通信動作が説明される。
【００６５】
眼鏡装置１００の通信部１６５が第１応答信号を受信すると、通信部１６５は第１応答信号の受信を動作制御部１６６へ通知する。この結果、動作制御部１６６は、信号生成部１６４に通知信号を生成させる。
【００６６】
図２に関連して説明された如く、信号生成部１６４は、検出部１７３からデータ信号を受け取る。信号生成部１６４は、データ信号に応じて、蓄電部１７１の状態を判定する。例えば、データ信号が、蓄電部１７１内の電力量の増加を表すならば、信号生成部１６４は、蓄電部１７１が充電中であると判定する。他の場合において、信号生成部１６４は、データ信号に応じて、蓄電部１７１に蓄えられている電力量を判定する。信号生成部１６４は、データ信号に応じて、蓄電部１７１が充電中であるか否かを表す充電情報と、蓄電部１７１に蓄えられている電力量を表す残量情報と、を含む通知信号を生成並びに出力する。通信部１６５は、生成された通知信号を表示装置２００の通信アドレスに向けて送信する。
【００６７】
図４に関連して説明された如く、表示装置２００が通知信号を受信するならば、画像生成部２６７は、状態画像を生成する。この結果、表示部２６３は、状態画像が組み込まれた映像を表示することができる。この結果、観察者は、眼鏡装置１００が蓄えている電力量に関する情報を得ることができる。
【００６８】
表示装置２００の制御部２６４は、通信部２６６を介して通知信号を受け取ると、信号生成部２６５に第２応答信号を生成させる。第２応答信号は、通信部２６６によって、眼鏡装置１００の通信アドレスに送信される。
【００６９】
眼鏡装置１００が第２応答信号を、通知信号の送信から所定期間、受信しないならば、眼鏡装置１００の通信部１６５は、動作制御部１６６に、第２応答信号の不受信を通知する。この結果、動作制御部１６６は、信号生成部１６４に、再度、通知信号を生成させてもよい。この結果、第２応答信号の受信があるまで、眼鏡装置１００は、通知信号を繰り返し送信することができる。
【００７０】
図５Ｃは、映像システム３００の概略図である。図２、図５Ｂ及び図５Ｃを用いて、映像システム３００の通信動作が説明される。
【００７１】
第２応答信号の送信の後、表示装置２００は、眼鏡装置１００に同期制御信号を繰り返し送信する。図２を参照して説明されたように、眼鏡装置１００の光量調整部１６１は、同期制御信号に応じて、補助動作を行い、左眼及び右眼への透過光量を調整する。
【００７２】
図６は、同期制御信号に応じた光量調整部１６１の動作を表す概略的なタイミングチャートである。図２、図５Ｃ及び図６を用いて、同期制御信号に応じた光量調整部１６１の動作が説明される。
【００７３】
図６のセクション（ａ）は、左フレーム画像の表示期間として割り当てられた左フレーム期間と、右フレーム画像の表示期間として割り当てられた右フレーム期間とを表す。左フレーム期間及び右フレーム期間は交互に割り当てられている。
【００７４】
図６のセクション（ｂ）は、表示装置２００から送信される同期制御信号を表す。同期制御信号は、左調整部１６２を動作させるために信号レベルを、左フレーム期間の開始に同期して、増加させる。また、同期制御信号は、右調整部１６３を動作させるために信号レベルを、右フレーム期間の開始に同期して、低減させる。
【００７５】
図６のセクション（ｃ）は、左眼への透過光量の変動を表す。左眼への透過光量の変動は、左調整部１６２による光量調整動作を反映している。上述の如く、左調整部１６２は、左フレーム期間の開始に同期した信号レベルの増加に応じて、動作する。この結果、左眼への透過光量は、左フレーム期間内で増加及び減少する。この結果、左フレーム期間において、観察者は、左眼で映像を観察する。一方、右フレーム期間において、左調整部１６２を動作させるための信号レベルの増加は生じないので、左眼への透過光量は低いレベルを保ち続ける。したがって、右フレーム期間において、観察者は、左眼で映像を観察しない。
【００７６】
図６のセクション（ｄ）は、右眼への透過光量の変動を表す。右眼への透過光量の変動は、右調整部１６３による光量調整動作を反映している。上述の如く、右調整部１６３は、右フレーム期間の開始に同期した信号レベルの低下に応じて、動作する。この結果、右眼への透過光量は、右フレーム期間内で増加及び減少する。この結果、右フレーム期間において、観察者は、右眼で映像を観察する。一方、左フレーム期間において、右調整部１６３を動作させるための信号レベルの低下は生じないので、右眼への透過光量は低いレベルを保ち続ける。したがって、左フレーム期間において、観察者は、右眼で映像を観察しない。
【００７７】
上述の光量調整部１６１の動作の結果、観察者は、左眼で左フレーム画像を観察し、右眼で右フレーム画像を観察することとなる。したがって、観察者は、表示装置２００によって表示される映像を立体的に知覚することができる。
【００７８】
図７は、眼鏡装置１００と表示装置２００との間の通信を概略的に表すチャートである。図２及び図７を用いて、眼鏡装置１００と表示装置２００との間の通信が説明される。
【００７９】
図２に関連して説明された如く、給電制御部１７０が給電動作を開始すると、眼鏡装置１００から表示装置２００へ検索信号が送信される。表示装置２００は、検索信号に応じて、第１応答信号を眼鏡装置１００へ送信する。この結果、眼鏡装置１００及び表示装置２００は、互いの情報を取得することができる。
【００８０】
その後、眼鏡装置１００は、通知信号を表示装置２００へ送信する。この結果、表示装置２００は、状態画像を表示する。加えて、表示装置２００は、第２応答信号を眼鏡装置１００へ送信する。
【００８１】
第２応答信号の送信の後、表示装置２００は、同期制御信号を、眼鏡装置１００へ繰り返し送信する。この結果、光量調整部１６１は、同期制御信号に応じた補助動作を行うことができる。
【００８２】
（通知信号）
図７を参照して説明された眼鏡装置１００と表示装置２００との間の通信に関して、Bluetooth（登録商標）、ZigBeeやWiFiといった通信方式に従うパケット構造のペイロード部に情報が格納される。通信される情報が単一のパケットに収まらないならば、情報は、複数のパケットに分割され、眼鏡装置１００と表示装置２００との間で通信される。
【００８３】
図８は、通知信号に用いられるパケット構造のペイロード部の構造の概略図である。図２、図７及び図８を用いて、通知信号が説明される。
【００８４】
ペイロード部は、表示装置２００に送られる様々な種類の情報（図８には、情報Ａ乃至情報Ｇが示されている）を表すために１〜数バイトのデータ区画に区分される。本実施形態において、「情報Ｅ」は、蓄電部１７１に関する情報（即ち、充電情報及び残量情報）を表す。「情報Ｅ」に対して、例えば、「１byte」の長さのデータ区画が割り当てられている。
【００８５】
図９は、情報Ｅに対して割り当てられたデータ区画内のデータ構造の概略図である。図２及び図９を用いて、通知信号が更に説明される。
【００８６】
情報Ｅに対して割り当てられたデータ区画は、例えば、「８bit」に区分される（Bit(0)からBit(7)）。上述の充電情報は、「Bit (0)」と「Bit (1)」とを用いて、表される。上述の残量情報は、「Bit (2)」から「Bit (7)」を用いて、表される。
【００８７】
残量情報は、蓄電部１７１が蓄電することができる最大蓄電量に対する現在の蓄電量の割合を表す第１残量情報と、現在の蓄電量の下、光量調整部１６１が適切に補助動作を行うことができる期間を表す第２残量情報と、を含む。第１残量情報は、「Bit (2)」から「Bit (4)」を用いて、表される。第２残量情報は、「Bit (5)」から「Bit (7)」を用いて、表される。本実施形態において、第１残量情報及び第２残量情報が眼鏡装置１００から送信される。代替的に、眼鏡装置は、第１残量情報及び第２残量情報のうち一方を送信してもよい。
【００８８】
図１０は、充電情報の表現パターンを例示する表である。図２、図４及び図１０を用いて、充電情報が説明される。
【００８９】
図２を参照して説明されたように、信号生成部１６４は、検出部１７３からのデータ信号に応じて、充電情報の内容を定める。データ信号が、蓄電部１７１が充電中でないことを表すならば、信号生成部１６４は、「Bit (0)」及び「Bit (1)」に対して、「０」の値をそれぞれ割り当てる。データ信号が、蓄電部１７１が充電中であることを表すならば、信号生成部１６４は、「Bit (0)」に対して、「０」の値を割り当て、且つ、「Bit (1)」に対して、「１」の値を割り当てる。「Bit (0)」及び「Bit (1)」に対する「１」と「０」との値の組み合わせは、充電中か否かを表す情報以外の情報を表現するために予備的に確保されている。「Bit (0)」及び「Bit (1)」に対する「１」と「１」との値の組み合わせは、眼鏡装置１００が表示装置２００に充電情報を送信しないとき、又は、信号生成部１６４が、検出部１７３からのデータ信号に基づいて、充電中か否かを判定できないときに用いられてもよい。
【００９０】
表示装置２００の制御部２６４が、「Bit (0)」及び「Bit (1)」に対して、「０」と「０」との値の組み合わせを見出すならば、画像生成部２６７は、状態画像として、電力量画像を生成する。制御部２６４が、「Bit (0)」及び「Bit (1)」に対して、「０」と「１」との値の組み合わせを見出すならば、画像生成部２６７は、状態画像として、充電画像を生成する。
【００９１】
図１１Ａは、第１残量情報の表現パターンを例示する表である。図１１Ｂは、第２残量情報の表現パターンを例示する表である。図２、図４、図１０乃至図１１Ｂを用いて、残量情報が説明される。
【００９２】
信号生成部１６４は、検出部１７３からのデータ信号に応じて、「Bit (2)」から「Bit (7)」に対して、「０」又は「１」の値をそれぞれ割り当てる。
【００９３】
検出部１７３からのデータ信号が、蓄電部１７１に蓄えられている電力量が略「０」であることを表すならば、信号生成部１６４は、「Bit (2)」から「Bit (4)」に対して、「０」の値をそれぞれ割り当てる。検出部１７３からのデータ信号が、蓄電部１７１に蓄えられている電力量が２５％程度残存していることを表すならば、信号生成部１６４は、「Bit (2)」及び「Bit (3)」に対して、「０」の値をそれぞれ割り当て、且つ、「Bit (4)」に対して、「１」の値を割り当てる。検出部１７３からのデータ信号が、蓄電部１７１に蓄えられている電力量が５０％程度残存していることを表すならば、信号生成部１６４は、「Bit (2)」及び「Bit (4)」に対して、「０」の値をそれぞれ割り当て、且つ、「Bit (3)」に対して、「１」の値を割り当てる。検出部１７３からのデータ信号が、蓄電部１７１に蓄えられている電力量が７５％程度残存していることを表すならば、信号生成部１６４は、「Bit (3)」及び「Bit (4)」に対して、「０」の値をそれぞれ割り当て、且つ、「Bit (2)」に対して、「１」の値を割り当てる。検出部１７３からのデータ信号が、蓄電部１７１に蓄えられている電力量が最大値であることを表すならば、信号生成部１６４は、「Bit (3)」及び「Bit (4)」に対して、「１」の値をそれぞれ割り当て、且つ、「Bit (2)」に対して、「０」の値を割り当てる。データ信号が、蓄電部１７１の蓄電量に対して「情報なし」であることを表すならば、信号生成部１６４は、「Bit (2)」から「Bit (4)」に対して、「１」の値をそれぞれ割り当てる。「Bit (2)」から「Bit (4)」に割り当てられる数値の他の組み合わせは、他の残存比率を表現するため等に予備的に確保されている。したがって、蓄電部１７１の電力量の残存比率は、より詳細に表現されてもよい。
【００９４】
検出部１７３からのデータ信号が、蓄電部１７１に蓄えられている電力量に応じて、光量調整部１６１が適切に動作することができる時間が「２時間未満」であることを表すならば、信号生成部１６４は、「Bit (5)」から「Bit (7)」に対して、「０」の値をそれぞれ割り当てる。検出部１７３からのデータ信号が、蓄電部１７１に蓄えられている電力量に応じて、光量調整部１６１が適切に動作することができる時間が「５時間未満」であることを表すならば、信号生成部１６４は、「Bit (5)」及び「Bit (6)」に対して、「０」の値をそれぞれ割り当て、且つ、「Bit (7)」に対して、「１」の値を割り当てる。検出部１７３からのデータ信号が、蓄電部１７１に蓄えられている電力量に応じて、光量調整部１６１が適切に動作することができる時間が「１０時間未満」であることを表すならば、信号生成部１６４は、「Bit (5)」及び「Bit (7)」に対して、「０」の値をそれぞれ割り当て、且つ、「Bit (6)」に対して、「１」の値を割り当てる。検出部１７３からのデータ信号が、蓄電部１７１に蓄えられている電力量に応じて、光量調整部１６１が適切に動作することができる時間が「１０時間以上」であることを表すならば、信号生成部１６４は、「Bit (6)」及び「Bit (7)」に対して、「１」の値をそれぞれ割り当て、且つ、「Bit (5)」に対して、「０」の値を割り当てる。データ信号が、蓄電部１７１の蓄電量に対して「情報なし」であることを表すならば、信号生成部１６４は、「Bit (5)」から「Bit (7)」に対して、「１」の値をそれぞれ割り当ててもよい。「Bit (5)」から「Bit (7)」に割り当てられる数値の他の組み合わせは、光量調整部１６１の他の稼動時間を表現するため等に予備的に確保されている。したがって、光量調整部１６１の稼動時間は、より詳細に表現されてもよい。
【００９５】
表示装置２００の制御部２６４が、「Bit (2)」から「Bit (4)」に割り当てられた数値が全て「０」であることを見出すならば、画像生成部２６７は、蓄電部１７１に残存している電力量が「略０％」であることを表す第１電力量画像を表示する。制御部２６４が、「Bit (2)」及び「Bit (3)」に割り当てられた数値が「０」であり、「Bit (4)」に割り当てられた数値が「１」であることを見出すならば、画像生成部２６７は、蓄電部１７１に残存している電力量が「２５％」であることを表す第１電力量画像を表示する。制御部２６４が、「Bit (2)」及び「Bit (4)」に割り当てられた数値が「０」であり、「Bit (3)」に割り当てられた数値が「１」であることを見出すならば、画像生成部２６７は、蓄電部１７１に残存している電力量が「５０％」であることを表す第１電力量画像を表示する。制御部２６４が、「Bit (3)」及び「Bit (4)」に割り当てられた数値が「０」であり、「Bit (2)」に割り当てられた数値が「１」であることを見出すならば、画像生成部２６７は、蓄電部１７１に残存している電力量が「７５％」であることを表す第１電力量画像を表示する。制御部２６４が、「Bit (3)」及び「Bit (4)」に割り当てられた数値が「１」であり、「Bit (2)」に割り当てられた数値が「０」であることを見出すならば、画像生成部２６７は、蓄電部１７１に残存している電力量が最大値であることを表す第１電力量画像を表示する。表示装置２００の制御部２６４が、「Bit (2)」から「Bit (4)」に割り当てられた数値が全て「１」であることを見出すとき、表示装置２００は、蓄電量に対して「情報なし」であることを表す画像を表示してもよい。
【００９６】
表示装置２００の制御部２６４が、「Bit (5)」から「Bit (7)」に割り当てられた数値が全て「０」であることを見出すならば、画像生成部２６７は、光量調整部１６１が補助動作を継続することができる期間は、「２時間未満」であることを表す第２電力量画像を表示する。制御部２６４が、「Bit (5)」及び「Bit (6)」に割り当てられた数値が「０」であり、「Bit (7)」に割り当てられた数値が「１」であることを見出すならば、画像生成部２６７は、光量調整部１６１が補助動作を継続することができる期間は、「５時間未満」であることを表す第２電力量画像を表示する。制御部２６４が、「Bit (5)」及び「Bit (7)」に割り当てられた数値が「０」であり、「Bit (6)」に割り当てられた数値が「１」であることを見出すならば、画像生成部２６７は、光量調整部１６１が補助動作を継続することができる期間は、「１０時間未満」であることを表す第２電力量画像を表示する。制御部２６４が、「Bit (6)」及び「Bit (7)」に割り当てられた数値が「１」であり、「Bit (5)」に割り当てられた数値が「０」であることを見出すならば、画像生成部２６７は、光量調整部１６１が補助動作を継続することができる期間は、「１０時間以上」であることを表す第２電力量画像を表示する。表示装置２００の制御部２６４が、「Bit (5)」から「Bit (7)」に割り当てられた数値が全て「１」であることを見出すとき、表示装置２００は、蓄電量に対して「情報なし」であることを表す画像を表示してもよい。
【００９７】
表示装置２００の通信部２６６は、表示装置２００を操作するためのリモートコントローラ（図示せず）からの操作信号を受信してもよい。この場合、使用者は、第１電力量画像と第２電力量画像とを選択的に表示することができる。
【００９８】
通信部２６６は、リモートコントローラからの操作信号を制御部２６４へ出力する。操作信号が、第１電力量画像の表示を指示しているならば、制御部２６４は、画像生成部２６７に第１電力量画像のみを生成させてもよい。操作信号が、第２電力量画像の表示を指示しているならば、制御部２６４は、画像生成部２６７に第２電力量画像のみを生成させてもよい。必要に応じて、画像生成部２６７は、第１電力量画像及び第２電力量画像をともに生成してもよい。
【００９９】
（映像システムの制御方法）
図１２は、映像システム３００の制御方法の概略的なフローチャートである。図２、図４乃至図５Ｃ並びに図１２を用いて、映像システム３００の制御方法が説明される。
【０１００】
（ステップＳ１１０）
ステップＳ１１０において、眼鏡装置１００の給電制御部１７０から作動部１６０への給電が開始される。その後、ステップＳ１２０が実行される。
【０１０１】
（ステップＳ１２０）
ステップＳ１２０において、眼鏡装置１００から表示装置２００へ検索信号が送信される。検索信号を受信した表示装置２００は、眼鏡装置１００へ第１応答信号を送信する。この結果、眼鏡装置１００及び表示装置２００は、互いの通信アドレスを特定することができる。その後、ステップＳ１３０が実行される。
【０１０２】
（ステップＳ１３０）
ステップＳ１３０において、眼鏡装置１００から表示装置２００へ通知信号が送信される。この結果、表示装置２００は、眼鏡装置１００の状態を把握することができる。通知信号を受信した表示装置２００は、眼鏡装置１００へ第２応答信号を送信する。その後、ステップＳ１４０が実行される。
【０１０３】
（ステップＳ１４０）
ステップＳ１４０において、表示装置２００の制御部２６４は、充電画像及び電力量画像（第１電力量画像及び／又は第２電力量画像）のうち一方を表示することを決定する。通知信号が、眼鏡装置１００が充電中であることを表すならば、制御部２６４は、充電画像の表示を選択する。通知信号が、眼鏡装置１００が充電中でないことを表すならば、制御部２６４は、電力量画像の表示を選択する。その後、ステップＳ１５０が実行される。
【０１０４】
（ステップＳ１５０）
ステップＳ１５０において、画像生成部２６７は、制御部２６４が選択した状態画像を生成する。制御部２６４は、充電画像の表示を選択するならば、画像生成部２６７は、充電画像を生成する。制御部２６４は、電力量画像の表示を選択するならば、画像生成部２６７は、電力量画像を生成する。
【０１０５】
映像処理部２６１は、画像生成部２６７が生成した状態画像と、入力部２６０を通じて入力された映像信号に基づく映像と、を合成する。合成された映像のデータは、表示部２６３へ出力される。その後、ステップＳ１６０が実行される。
【０１０６】
（ステップＳ１６０）
ステップＳ１６０において、表示部２６３は、映像処理部２６１によって出力された映像データに従って、映像を表示する。この結果、観察者に、眼鏡装置１００の状態に関する有益な情報が伝達される。
【０１０７】
上述の様々な実施形態は、単に例示的なものである。したがって、上述の実施形態の原理は、上記の詳細な説明や図面に記載の事項に限定されない。上述の実施形態の原理の範囲内で、当業者が様々な変形、組み合わせや省略を行うことができることは容易に理解される。
【０１０８】
眼鏡装置が通知信号を送信することができるならば、眼鏡装置は、他の構成を有してもよい。また、表示装置が、通知信号に応じて、状態画像を適切に表示することができるならば、表示装置は、他の構成を有してもよい。
【０１０９】
本実施形態において、通知信号は、眼鏡装置内部での給電の開始に応じて、送信されている。代替的に、通知信号は、他のタイミングで送信されてもよい。例えば、眼鏡装置への充電が開始されたときに、通知信号が送信されてもよい。代替的に、眼鏡装置に蓄えられた電力量が変更されたときに（例えば、５０％の蓄電量が２５％の蓄電量になったときに）、通知信号が送信されてもよい。
【０１１０】
眼鏡装置と表示装置との間での同期制御に対して、他の立体映像システムに用いられている通信技術が適用されてもよい。他の立体映像システムの技術の下においても、本実施形態の原理は、好適に利用可能である。
【０１１１】
通知信号は、蓄電部情報を伝達することができるならば、他のデータ構造を有してもよい。蓄電部情報に対して、長いデータ長が割り当てられるならば、蓄電部に関する様々な情報を表示装置に伝達することができる。
【０１１２】
上述された実施形態は、以下の特徴を主に備える。
【０１１３】
上述の実施形態の一の局面に係る眼鏡装置は、観察者の左眼及び右眼への透過光量を調整し、映像を立体的に知覚させるように前記映像の観察を補助する補助動作を行う光量調整部と、前記補助動作を前記光量調整部に実行させるための電力を蓄える蓄電部と、前記蓄電部の状態を通知するための通知信号を送信する送信部と、を備え、前記通知信号は、前記蓄電部が充電中であるか否かを表す充電情報と、前記蓄電部に蓄えられている電力量を表す残量情報と、を含むことを特徴とする。
【０１１４】
上記構成によれば、光量調整部は、蓄電部が蓄えた電力を用いて、映像の観察を補助する補助動作を行う。補助動作の結果、観察者の左眼及び右眼への透過光量は、適切に調整されるので、観察者は、映像を立体的に知覚することができる。
【０１１５】
送信部は、蓄電部の状態を通知するための通知信号を送信する。通知信号は、蓄電部が充電中であるか否かを表す充電情報と、蓄電部に蓄えられている電力量を表す残量情報と、を含む。観察者にとって有益な充電情報に応じて、残量情報が利用されることが可能となるので、眼鏡装置の状態は、観察者に適切に通知される。
【０１１６】
上記構成において、前記残量情報は、前記蓄電部が蓄電することができる最大蓄電量に対する前記電力量の割合を表す第１残量情報と、前記電力量に応じて前記光量調整部が前記補助動作をすることができる期間を表す第２残量情報と、のうち少なくとも一方を表すことが好ましい。
【０１１７】
上記構成によれば、残量情報は、蓄電部が蓄電することができる最大蓄電量に対する電力量の割合を表す第１残量情報と、電力量に応じて光量調整部が補助動作をすることができる期間を表す第２残量情報と、のうち少なくとも一方を表す。第１残量情報が使用されるならば、観察者は、眼鏡装置が蓄えている電力量を直感的に把握することができる。第２残量情報が使用されるならば、観察者は眼鏡装置の稼動時間を適切に把握することができる。したがって、眼鏡装置の状態は、観察者に適切に通知される。
【０１１８】
上述の実施形態の他の局面に係る表示装置は、映像を立体的に知覚させるように前記映像の観察を補助する補助動作を行う眼鏡装置の状態を通知するための通知信号を受信する受信部と、該受信部が受信した前記通知信号に応じて、前記眼鏡装置の前記状態を表す状態画像を生成する画像生成部と、前記状態画像を表示するための表示部と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記画像生成部は、前記眼鏡装置に蓄えられている電力量を表すための電力量画像を、前記状態画像として、生成することを特徴とする。
【０１１９】
上記構成によれば、受信部は、映像を立体的に知覚させるように映像の観察を補助する補助動作を行う眼鏡装置の状態を通知するための通知信号を受信する。画像生成部は、受信部が受信した通知信号に応じて、眼鏡装置の状態を表す状態画像を生成する。表示部は、状態画像を表示するので、観察者は、眼鏡装置の状態を適切に把握することができる。
【０１２０】
通知信号は、眼鏡装置が充電中であるか否かを表す充電情報と、眼鏡装置に蓄えられている電力量を表す残量情報と、を含む。充電情報が、眼鏡装置が充電中でないことを表すならば、画像生成部は、眼鏡装置に蓄えられている電力量を表すための電力量画像を、状態画像として、生成する。蓄電部が充電中でないならば、残量情報は、観察者にとって有益であるので、眼鏡装置の状態に関する適切な情報が観察者に通知される。
【０１２１】
上記構成において、前記画像生成部が、前記電力量画像を生成するならば、前記表示部は、前記眼鏡装置が蓄電することができる最大蓄電量に対する前記電力量の割合を表す第１電力量画像と、前記電力量に応じて前記眼鏡装置が前記補助動作を行うことができる期間を表す第２電力量画像と、のうち少なくとも一方を、前記電力量画像として、表示することが好ましい。
【０１２２】
上記構成によれば、画像生成部が、電力量画像を生成するならば、表示部は、眼鏡装置が蓄電することができる最大蓄電量に対する電力量の割合を表す第１電力量画像と、電力量に応じて眼鏡装置が補助動作を行うことができる期間を表す第２電力量画像と、のうち少なくとも一方を、電力量画像として、表示する。第１電力量画像が表示されるならば、観察者は、眼鏡装置が蓄えている電力量を直感的に把握することができる。第２電力量画像が表示されるならば、観察者は眼鏡装置の稼動時間を適切に把握することができる。したがって、眼鏡装置の状態は、観察者に適切に通知される。
【０１２３】
上記構成において、前記充電情報が、前記眼鏡装置が充電中であることを表すならば、前記画像生成部は、前記眼鏡装置が充電中であることを表す充電画像を、前記状態画像として、生成することが好ましい。
【０１２４】
上記構成によれば、充電情報が、眼鏡装置が充電中であることを表すならば、画像生成部は、眼鏡装置が充電中であることを表す充電画像を、状態画像として、生成するので、観察者は、眼鏡装置に対する充電が行われていることを適切に把握することができる。
【０１２５】
上述の実施形態の他の局面に係る映像システムは、観察者に立体的に知覚される映像を表示する表示装置と、前記映像を立体的に知覚させるように前記映像の観察を補助する補助動作を行う眼鏡装置と、を備え、該眼鏡装置は、前記観察者の左眼及び右眼への透過光量を調整し、前記補助動作を行う光量調整部と、前記補助動作を前記光量調整部に実行させるための電力を蓄える蓄電部と、前記蓄電部の状態を通知するための通知信号を送信する送信部と、を含み、前記通知信号は、前記蓄電部が充電中であるか否かを表す充電情報と、前記蓄電部に蓄えられている電力量を表す残量情報と、を含み、前記表示装置は、前記通知信号を受信する受信部と、該受信部が受信した前記通知信号に応じて、前記蓄電部の前記状態を表す状態画像を生成する画像生成部と、前記状態画像を表示するための表示部と、を含み、前記充電情報が、前記蓄電部が充電中でないことを表すならば、前記画像生成部は、前記蓄電部に蓄えられている電力量を表すための電力量画像を、前記状態画像として、生成することを特徴とする。
【０１２６】
上記構成によれば、表示装置は、観察者に立体的に知覚される映像を表示する。眼鏡装置は、映像を立体的に知覚させるように映像の観察を補助する補助動作を行う。したがって、観察者は、眼鏡装置を通じて、立体映像を適切に観察することができる。
【０１２７】
光量調整部は、蓄電部が蓄えた電力を用いて、映像の観察を補助する補助動作を行う。補助動作の結果、観察者の左眼及び右眼への透過光量は、適切に調整されるので、観察者は、映像を立体的に知覚することができる。
【０１２８】
眼鏡装置の送信部は、蓄電部の状態を通知するための通知信号を送信する。表示装置の受信部は、通知信号を受信する。画像生成部は、受信部が受信した通知信号に応じて、眼鏡装置の状態を表す状態画像を生成する。表示部は、状態画像を表示するので、観察者は、眼鏡装置の状態を適切に把握することができる。
【０１２９】
通知信号は、眼鏡装置が充電中であるか否かを表す充電情報と、眼鏡装置に蓄えられている電力量を表す残量情報と、を含む。充電情報が、眼鏡装置が充電中でないことを表すならば、画像生成部は、眼鏡装置に蓄えられている電力量を表すための電力量画像を、状態画像として、生成する。蓄電部が充電中でないならば、残量情報は、観察者にとって有益であるので、眼鏡装置の状態に関する適切な情報が観察者に通知される。
【０１３０】
上述の実施形態の他の局面に係る映像システムの制御方法は、立体的に知覚される映像を表示する表示装置と、前記映像の観察を補助する補助動作を行う眼鏡装置と、の間で、前記眼鏡装置の状態を通知するための通知信号を通信する段階と、前記通知信号に応じて、前記眼鏡装置の前記状態を表す状態画像を前記表示装置に生成及び表示させる段階と、を備え、前記通知信号は、前記眼鏡装置が充電中であるか否かを表す充電情報と、前記眼鏡装置に蓄えられている電力量を表す残量情報と、を含み、前記充電情報が、前記眼鏡装置が充電中でないことを表すならば、前記表示装置は、前記眼鏡装置に蓄えられている電力量を表すための電力量画像を、前記状態画像として、生成及び表示することを特徴とする。
【０１３１】
上記構成によれば、眼鏡装置の状態を通知するための通知信号は、立体的に知覚される映像を表示する表示装置と、映像の観察を補助する補助動作を行う眼鏡装置と、の間で、通信される。この結果、表示装置は、眼鏡装置の状態を表す状態画像を生成及び表示する。通知信号は、眼鏡装置が充電中であるか否かを表す充電情報と、眼鏡装置に蓄えられている電力量を表す残量情報と、を含む。充電情報が、眼鏡装置が充電中でないことを表すならば、表示装置は、眼鏡装置に蓄えられている電力量を表すための電力量画像を、状態画像として、生成する。蓄電部が充電中でないならば、残量情報は、観察者にとって有益であるので、眼鏡装置の状態に関する適切な情報が観察者に通知される。
【産業上の利用可能性】
【０１３２】
上述の実施形態の原理は、眼鏡装置の補助下で映像を観察させる映像技術に好適に利用される。
【手続補正３】
【補正対象書類名】図面
【補正対象項目名】全図
【補正方法】変更
【補正の内容】
【図１】
2012124343.tif 000018
【図２】
2012124343.tif 000019
【図３】
2012124343.tif 000020
【図４】
2012124343.tif 000021
【図５Ａ】
2012124343.tif 000022
【図５Ｂ】
2012124343.tif 000023
【図５Ｃ】
2012124343.tif 000024
【図６】
2012124343.tif 000025
【図７】
2012124343.tif 000026
【図８】
2012124343.tif 000027
【図９】
2012124343.tif 000028
【図１０】
2012124343.tif 000029
【図１１Ａ】
2012124343.tif 000030
【図１１Ｂ】
2012124343.tif 000031
【図１２】
2012124343.tif 000032
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
観察者の左眼及び右眼への透過光量を調整し、映像を立体的に知覚させるように前記映像の観察を補助する補助動作を行う光量調整部と、
前記補助動作を前記光量調整部に実行させるための電力を蓄える蓄電部と、
前記蓄電部の状態を通知するための通知信号を送信する送信部と、を備え、
前記通知信号は、前記蓄電部が充電中であるか否かを表す充電情報と、前記蓄電部に蓄えられている電力量を表す残量情報と、を含み、
前記残量情報は、前記電力量に応じて前記光量調整部が前記補助動作をすることができる期間を示す情報であることを特徴とする眼鏡装置。
【請求項２】
映像を立体的に知覚させるように前記映像の観察を補助する補助動作を行う眼鏡装置の状態を通知するための通知信号を受信する受信部と、
前記受信部が受信した前記通知信号に応じて、前記眼鏡装置の前記状態を表す状態画像を生成する画像生成部と、
前記状態画像を表示するための表示部と、を備え、
前記通知信号は、前記眼鏡装置が充電中であるか否かを表す充電情報と、前記眼鏡装置に蓄えられている電力量を表す残量情報と、を含み、
前記残量情報は、前記電力量に応じて前記眼鏡装置が前記補助動作をすることができる期間を示す情報であり、
前記充電情報が、前記眼鏡装置が充電中でないことを表すならば、前記画像生成部は、前記残量情報を表すための電力量画像を、前記状態画像として、生成し、
前記表示部は、前記眼鏡装置が前記補助動作をすることができる前記期間を前記状態画像として表示することを特徴とする表示装置。
【請求項３】
前記充電情報が、前記眼鏡装置が充電中であることを表すならば、前記画像生成部は、前記眼鏡装置が充電中であることを表す充電画像を、前記状態画像として、生成することを特徴とする請求項２に記載の表示装置。
【請求項４】
請求項１に記載の眼鏡装置と、
前記映像を表示する表示装置と、を備える映像システム。
【請求項５】
請求項２に記載の表示装置と、
前記眼鏡装置と、を備える映像システム。
【請求項６】
立体的に知覚される映像を表示する表示装置と、前記映像の観察を補助する補助動作を行う眼鏡装置と、の間で、前記眼鏡装置の状態を通知するための通知信号を通信する段階と、
前記通知信号に応じて、前記眼鏡装置の前記状態を表す状態画像を前記表示装置に生成及び表示させる段階と、を備え、
前記通知信号は、前記眼鏡装置が充電中であるか否かを表す充電情報と、前記眼鏡装置に蓄えられている電力量に応じて前記眼鏡装置が前記補助動作をすることができる期間を示す残量情報と、を含み、
前記充電情報が、前記眼鏡装置が充電中でないことを表すならば、前記表示装置は、前記残量情報を、前記状態画像として、生成及び表示することを特徴とする映像システムの制御方法。
【国際調査報告】
2012124343.tif 000033
2012124343.tif 000034
2012124343.tif 000035
2012124343.tif 000036